(57)【要約】【課題】一見して基画像を予見しづらく、出現する潜像画像があらゆる方向に動き、更にはどの方向から観察しても視認性が低下しない偽造防止用潜像画像表出構造を提案することを目的とする。【解決手段】本発明は、基画像を分割した画像を所定の縮率で圧縮して形成した潜像画線が複数配置され、ピッチ及び／又は画線幅が異なる非相似形の潜像画線を複数有する潜像画線群と、非相似形の潜像画線と対を成す非相似形のフィルタ画線が複数配置されたフィルタ画線群とを含むセキュリティ印刷物を認証するための偽造防止用潜像画像表出構造であって、潜像画線群は、曲線状の潜像画線を有し、かつ、隣り合う潜像画線同士が最も近似した非相似形であり、潜像画線群とフィルタ画線群との重ね合わせにより、分割された画像が結合した基画像が潜像画像として表出することを特徴とする偽造防止用潜像画像表出構造である。【選択図】図２０
2015047772.tif 000002
【特許請求の範囲】
【請求項１】
基画像を分割した画像を所定の縮率で圧縮して形成した潜像画線が複数配置され、ピッチ及び／又は画線幅が異なる非相似形の前記潜像画線を複数有する潜像画線群と、
前記非相似形の潜像画線と対を成す非相似形のフィルタ画線が複数配置されたフィルタ画線群とを含むセキュリティ印刷物を認証するための偽造防止用潜像画像表出構造であって、
前記潜像画線群は、曲線状の前記潜像画線を有し、かつ、隣り合う前記潜像画線同士が最も近似した非相似形であり、
前記潜像画線群と前記フィルタ画線群との重ね合わせにより、前記分割された画像が結合した基画像が潜像画像として表出することを特徴とする偽造防止用潜像画像表出構造。
【請求項２】
前記潜像画線群において、ピッチ及び／又は画線幅の最大と最小が２倍以下の非相似形であることを特徴とする請求項１記載の偽造防止用潜像画像表出構造。
【請求項３】
前記潜像画線群の少なくとも一部において、最外線の前記潜像画線が円弧状の曲画線であり、前記最外線の潜像画線から中心の前記潜像画線に向かって連続的に直線状に変化した非相似形であることを特徴とする請求項１又は２記載の偽造防止用潜像画像表出構造。
【請求項４】
前記潜像画線群において、前記潜像画線の中心を軸にミラー反転された前記潜像画線を少なくとも有することを特徴とする請求項１乃至３のいずれか１項記載の偽造防止用潜像画像表出構造。
【請求項５】
基材上の少なくとも一部に印刷画像を備え、
前記印刷画像は、明暗フリップフロップ性又はカラーフリップフロップ性の少なくとも
どちらか一方の特性を有する蒲鉾状画線が複数配置され、ピッチ及び／又は画線幅が異なる非相似形の前記蒲鉾状画線を複数有する蒲鉾状画線群の上に、正反射時において前記蒲鉾状画線群の色彩とは異なる色彩を有する潜像画線群が積層されており、
前記蒲鉾状画線群は、曲線状の前記蒲鉾状画線を有し、かつ、隣り合う前記蒲鉾状画線同士が最も近似した非相似形であり、
前記潜像画線群は、基画像を分割した画像を所定の縮率で圧縮し、かつ、前記非相似形の蒲鉾状画線と対を成す潜像画線が複数配列されて成り、
前記蒲鉾状画線の少なくとも一部に、前記潜像画線の少なくとも一部が重なって形成さ
れ、
前記基材を正反射光下で観察した場合、前記基画像が潜像画像として出現し、その観察
角度から前記基材を変化させると、前記潜像画像が動いて見えることを特徴とする潜像印刷物。
【請求項６】
前記蒲鉾状画線群において、ピッチ及び／又は画線幅の最大と最小が２倍以下の非相似形であることを特徴とする請求項５記載の潜像印刷物。
【請求項７】
前記蒲鉾状画線群において、最外線の前記蒲鉾状画線が円弧状の曲画線であり、前記最外線の蒲鉾状画線から中心の前記蒲鉾状画線に向かって連続的に直線状に変化した非相似形であることを特徴とする請求項５又は６記載の潜像印刷物。
【請求項８】
前記潜像画線群において、前記潜像画線の中心を軸にミラー反転された前記潜像画線を少なくとも有することを特徴とする請求項５乃至７のいずれか１項記載の潜像印刷物。
【請求項９】
基画像を分割した画像を所定の縮率で圧縮した潜像画線が複数配置された潜像画線群と、前記潜像画線と対を成すフィルタ画線が複数配置されたフィルタ画線群を重ね合わせることで、前記分割された画像が結合した基画像が潜像画像として表出する偽造防止用潜像画像表出構造を、入力部、処理部及び記憶部を少なくとも備えた作製装置を用いて作製する方法であって、
あらかじめ作製した前記フィルタ画線を複数配列したフィルタ画線群から成るフィルタ画像を前記入力部に入力又は前記フィルタ画像を前記処理部で作製するステップと、
前記基画像を前記入力部に入力又は前記処理部で作製するステップと、
前記潜像画線を作製するために、前記基画像を分割して所定の縮率で圧縮するときの圧縮する方向をベクトル情報として保有する基画像圧縮情報を生成するステップと、
前記基画像圧縮情報、前記基画像が存在する画素位置及びあらかじめ設定した圧縮係数を用いて前記潜像画線を構成する画素の参照位置を求めて基画像を圧縮処理するステップと、
前記参照位置における前記画素に前記基画像の色情報を付与して前記潜像画線群を生成するステップと、を備えることを特徴とする偽造防止用潜像画像表出構造の作製方法。
【請求項１０】
前記基画像圧縮情報を生成するステップは、
前記フィルタ画線に対する中心線を抽出するステップと、
前記フィルタ画像内の全ての画素に対して、各画素の中心位置を求めるステップと、
前記中心線上において、前記全ての画素の中から中心位置が前記中心線に最も近くに存在する前記中心線上の位置と、前記中心位置とを関連付けるステップから成ることを特徴とする請求項９記載の偽造防止用潜像画像表出構造の作製方法。
【請求項１１】
前記請求項９又は請求項１０に記載の偽造防止用潜像画像表出構造の作製方法を、入力部、処理部、記憶部及び出力部を備える画像作製装置に実行させるための偽造防止用潜像画像表出構造作製用ソフトウェアであって、
前記入力部によって前記基画像を入力又は前記処理部によって前記基画像を作製して基画像データを生成するステップと、
前記入力部によってあらかじめ作製された前記フィルタ画像を入力又は前記処理部によって前記フィルタ画像を作製してフィルタ画像データを生成するステップと、
前記処理部によって、前記基画像を分割して所定の縮率で圧縮するときの圧縮する方向をベクトル情報として保有する基画像圧縮情報データを生成するステップと、
前記処理部によって、前記基画像圧縮情報データ、前記基画像が存在する画素の位置データ及びあらかじめ設定した圧縮係数を用いて前記潜像画線を構成する画素の参照位置を求めて前記基画像を圧縮処理するステップと、
前記処理部によって、前記参照位置における画素に前記基画像の色情報を付与して前記潜像画線群を生成するステップと、
前記出力部によって、前記潜像画線群を出力するステップと、
を備える偽造防止用潜像画像表出構造の作製方法を画像作製装置に実行させることを特徴とする偽造防止用潜像画像表出構造作製用ソフトウェア。
【請求項１２】
前記基画像圧縮情報データを生成するステップは、
前記処理部によって、前記フィルタ画線に対する中心線を抽出するステップと、
前記処理部によって、前記フィルタ画像内の全ての画素に対して中心位置を求めるステップと、
前記処理部によって、前記中心線上において、前記全ての画素の中から中心位置が前記中心線に最も近くに存在する前記中心線上の位置と、前記中心位置とを関連付けるステップとを有することを特徴とする請求項１１記載の偽造防止用潜像画像表出構造作製用ソフトウェア。
【発明の詳細な説明】
【技術分野】
【０００１】
本発明は、偽造防止効果を必要とする銀行券、パスポート、有価証券、身分証明書、カード及び通行券等のセキュリティ印刷物の分野において、画像に特定のフィルタを重ねることで暗号化されていた基画像が再生される偽造防止用潜像画像表出構造とその作製方法並びに作製用ソフトウェア、該偽造防止用潜像画像表出構造を応用して作製する観察環境中の光の状態に関わらず安定した動画効果を発揮する潜像印刷物に関する。
【背景技術】
【０００２】
銀行券、パスポ−ト、有価証券及び身分証明書等に代表されるセキュリティ印刷物には、複製や偽造を防止するために、偽造防止技術が必要とされている。これらの偽造防止技術には、一見しただけでは無意味な画像であるが、特定の認証具を用いて観察した場合に隠蔽されていた情報が再生される技術が存在する。
【０００３】
これらの偽造防止技術の一つに、「スクランブルイメージ」と呼ばれる技術が存在する。この技術は、図５５に示すように、スクランブルイメージ（１）に特定のフィルタ画像（６）を重ね合わせることで、スクランブルイメージ（１）中に暗号化されていた基画像（２）が再生される技術である。実際にはセキュリティ印刷物にスクランブルイメージ（１）のみを印刷し、判別者が必要に応じてフィルタ画像（６）を重ね合わせて基画像（２）が再生されるかを確認し、セキュリティ印刷物の真偽を判別する形態で運用されている。この技術を用いた実際のセキュリティ印刷物の例としては、「スペイン１０００ペソ銀行券（１９９２年発行）」が存在し、銀行券の下部の彩紋に特定の線数のレンチキュラー（フィルタ画像（６）と同様な機能を果たす）を重ね合わせることで「ＢＡＮＣＯＤＥＥＳＰＡＮＡ」の文字が再生される。
【０００４】
図５６に示すようにスクランブルイメージは、基画像の一部が特定の方向に小さく分断された複数の潜像画線（３（１）、３（２）、３（３）・・・３（ｉ）・・・３（ｎ−１）、３（ｎ））の集合によって構成されている。このスクランブルイメージは、図５７に示すように、特定の幅（Ｗ２）のフレーム（４）に収まった基画像（２）を取り出し、特定の縮率で一定の幅（Ｗ１）に圧縮し、それぞれの潜像画線（３）を特定のピッチＰ１で均等に配置することで作製することができる。なお、基画像（２）をスクランブルイメージ化する最も容易な方法は、基画像（２）にレンチキュラーやマイクロレンズアレイを重ね合わせることであり、そのときサンプリングされた画像がスクランブルイメージとなる。再生にあたっては同じレンチキュラーをスクランブルイメージに重ね合わせれば良い。以上のように、スクランブルイメージとは、特定の基画像を分断・圧縮することで暗号化する技術である。
【０００５】
また、このスクランブルイメージを応用した偽造防止技術の一つに、拡散反射光下においては不可視であった基画像が、正反射光下において再生され、かつ観察角度を変化させることで再生された基画像が動いて見える、いわゆる、「動画的な視覚効果」を備えた動画再生型潜像印刷物（以下、「潜像印刷物」という。）が存在する（例えば、特許文献１参照）。
【０００６】
本技術は、スクランブルイメージとフィルタ画像を一体化した技術であって、フィルタ画像と同じ模様を蒲鉾状の盛り上がりのある画線で形成し、その上にスクランブルイメージを重ねて形成する。一般的なスクランブルイメージと異なり、観察者はフィルタ画像を別に用意する必要がなく、可視光下で容易に真偽判別することができるため、真偽判別性に優れた技術である。
【先行技術文献】
【特許文献】
【０００７】
【特許文献１】特開２０１１−１２６０２８号公報
【発明の概要】
【発明が解決しようとする課題】
【０００８】
しかしながら、このスクランブルイメージを構成する潜像画線（３）は単純な直線か、マトリクス状に配置された画素で構成されるのが常であった。このような場合単純な構成で作製されたスクランブルイメージは、図５５の例のように、フィルタ画像（６）を重ねない場合でも、一見して暗号化されている基画像（２）（図５５の例では桜の画像と数字）が予見されてしまうという問題があった。また、このような単純な直線の潜像画線（３）から成る場合、作製方法が公知であることから市販の画像処理ソフトウェアを用いても偽造が可能であり、偽造に対する抵抗力が低いという問題があった。
【０００９】
また、一方の特許文献１に記載の潜像印刷物は、正反射光下で優れた動画効果を発揮する技術であるものの、その動画効果や基画像出現の原理が、盛り上がりを有する画線が正反射することによって生じる光のコントラストを利用するために、観察環境中の光の状態の影響を強く受け、印刷画像を観察する環境によって動画効果や出現した基画像の視認性が大きく左右されてしまうという問題があった。
【００１０】
具体的には、図５８に示すように、第三の方向（図中Ｓ３方向）の画線方向を有する盛り上がりのある画線が、第一の方向（図中Ｓ１方向）に連続して配置されている画線構成で印刷画像が形成されている場合、画線方向と直交する方向である第一の方向から光が入射した場合には、再生された基画像は良好な動画効果を発揮し、基画像の視認性も高くなるのに対し、第一の方向以外の方向である第二の方向（図中Ｓ２方向）や第三の方向から光が入射した場合、動画効果は弱くなり、基画像の視認性が低くなる。特に、画線方向と平行な第三の方向から光が入射した場合には、動画効果は最も弱くなり、基画像の視認性も最も低くなる。
【００１１】
また、特に画線方向と平行な第三の方向からのみ光が入射した場合には、基画像の視認性や動画効果が低下するという「所望の効果が低下する」問題に留まらず、印刷画像の中に真偽判別のための基準となるべき基画像自体が視認されず、その代わりにスクランブルイメージにあたる潜像要素群全体が弱く浮かび上がって不明瞭な画像として観察されてしまう「所望の効果以外の別の効果が生じる」という真偽判別上、致命的な問題が発生する可能性があり、偽造防止技術としての信頼性自体が失われる可能性があった。
【００１２】
この原因とは、以下のとおりである。特許文献１に記載の技術は、盛り上がりを有する画線の表面に、スクランブルイメージにあたる潜像要素群が重なった構造を有する。潜像画像は、盛り上がりを有する画線の一部の表面が光を強く正反射し、その上に重なった潜像要素群の一部が選択的にサンプリングされることで基画像が再現され、また盛り上がりを有する画線の正反射する表面の位相が変化することによって、基画像が動いて見える動画効果を生じる。そのため、動画効果を生じさせるためには、盛り上がりを有する画線の狭い一部の表面のみが強く正反射することが必要である。
【００１３】
しかしながら、画線方向と直交する方向から盛り上がりを有する画線に光が入射した場合、盛り上がりを有する画線表面のうちの光と直交した一部の画線表面のみが強く光を正反射するのに対し、画線方向と平行な方向から光が入射した場合には、盛り上がりを有する画線表面のうち、光を反射する画線表面の範囲が広がってしまい、最悪の場合、画線表面全体で均一に光を正反射してしまう。
【００１４】
そのため、盛り上がりを有する画線表面の狭い一部の範囲ではなく、広い範囲で光を正反射してしまう場合には、潜像画像の視認性や動画効果が低下する問題が生じ、盛り上がりを有する画線表面全体が均一に光を正反射する最悪の場合には、スクランブルイメージにあたる潜像要素群全体がサンプリングされてしまい、潜像要素群自体が出現するという問題が生じる可能性があった。
【００１５】
以上のように、特許文献１に記載の技術は、観察する環境にある光源から印刷物に入射する光の入射角度によっては、動画効果が弱くなる場合や潜像画像の視認性が大きく低下したり、不明瞭な画像が出現したりする場合があった。セキュリティ印刷物に付与される偽造防止技術は、人々がその効果を確認することによって真偽判別の基準とするものであり、観察条件によってその効果や視認性が大きく左右され、想定していない画像が出現することは大きな問題であった。
【００１６】
本発明は、このような従来の問題を解決することを目的としたもので、従来のスクランブルイメージと比較して、一見して基画像を予見しづらく、かつ、偽造がより困難である偽造防止用潜像画像出現構造を提供する。また、その作製方法並びに作製用ソフトウェアを提供する。加えて、この偽造防止用潜像画像出現構造を応用して作製する潜像印刷物であって、出現する基画像があらゆる方向にも動くことで、動きのバリエーションに優れ、更には、どの方向から確認しても基画像の視認性が低下することがない潜像印刷物を提供する。
【課題を解決するための手段】
【００１７】
本発明は、基画像を分割した画像を所定の縮率で圧縮して形成した潜像画線が複数配置され、ピッチ及び／又は画線幅が異なる非相似形の潜像画線を複数有する潜像画線群と、  非相似形と対応する非相似形のフィルタ画線が複数配置されたフィルタ画線群と、を含むセキュリティ印刷物を認証するための偽造防止用潜像画像表出構造であって、潜像画線群は、曲線状の潜像画線を有し、かつ、隣り合う潜像画線同士が最も近似した非相似形であり、潜像画線群とフィルタ画線群との重ね合わせにより、分割された画像が結合した基画像が潜像画像として表出することを特徴とする偽造防止用潜像画像表出構造である。
【００１８】
また、本発明の偽造防止用潜像画像表出構造における潜像画線群は、ピッチ及び／又は画線幅の最大と最小が２倍以下の非相似形であることを特徴とする。
【００１９】
また、本発明の偽造防止用潜像画像表出構造における潜像画線群の少なくとも一部は、最外線の潜像画線が円弧状の曲画線であり、最外線の潜像画線から中心の端の潜像画線に向かって連続的に直線状に変化した非相似形であることを特徴とする。
【００２０】
本発明は、基材上の少なくとも一部に印刷画像を備え、印刷画像は、明暗フリップフロップ性又はカラーフリップフロップ性の少なくともどちらか一方の特性を有する蒲鉾状画線が複数配置され、ピッチ及び／又は画線幅が異なる非相似形の蒲鉾状画線を複数有する蒲鉾状画線群の上に、正反射時において蒲鉾状画線群の色彩とは異なる色彩を有する潜像画線群が積層されており、蒲鉾状画線群は、曲線状の蒲鉾状画線を有し、かつ、隣り合う蒲鉾状画線同士が最も近似した非相似形であり、潜像画線群は、基画像を分割した画像を所定の縮率で圧縮して形成した潜像画線が蒲鉾状画線に対応した形状を有して成り、蒲鉾状画線の少なくとも一部に、潜像画線の少なくとも一部が重なって形成され、基材を正反射光下で観察した場合、基画像が潜像画像として出現し、その観察角度から基材をどの方向に変化させても、潜像画像が動いて見えることを特徴とする潜像印刷物である。
【００２１】
また、本発明の潜像印刷物における蒲鉾状画線群は、ピッチ及び／又は画線幅の最大と最小が２倍以下の非相似形であることを特徴とする。
【００２２】
また、本発明の潜像印刷物における蒲鉾状画線群の少なくとも一部は、最外線の蒲鉾状画線が円弧状の曲画線であり、最外線の蒲鉾状画線から中心の蒲鉾状画線に向かって連続的に直線状に変化した非相似形であることを特徴とする。
【００２３】
また、本発明は、基画像を分割した画像を所定の縮率で圧縮した潜像画線が複数配置された潜像画線群と、潜像画線と対を成すフィルタ画線が複数配置されたフィルタ画線群を重ね合わせることで、分割された画像が結合した基画像が潜像画像として表出する偽造防止用潜像画像表出構造を、入力部、処理部及び記憶部を少なくとも備えた作製装置を用いて作製する方法であって、あらかじめ作製したフィルタ画線を複数配列したフィルタ画線群から成るフィルタ画像を入力部に入力又はフィルタ画像を処理部で作製するステップと、基画像を入力部に入力又は処理部で作製するステップと、潜像画線を作製するために、基画像を分割して所定の縮率で圧縮するときの圧縮する方向をベクトル情報として保有する基画像圧縮情報を生成するステップと、基画像圧縮情報、基画像が存在する画素位置及びあらかじめ設定した圧縮係数を用いて潜像画線を構成する画素の参照位置を求めて基画像を圧縮処理するステップと、参照位置における画素に基画像の色情報を付与して潜像画線群を生成するステップを備えることを特徴とする偽造防止用潜像画像表出構造の作製方法である。
【００２４】
また、本発明の偽造防止用潜像画像表出構造の作製方法は、基画像圧縮情報を生成するステップが、フィルタ画線に対する中心線を抽出するステップと、フィルタ画像内の全ての画素に対して、各画素の中心位置を求めるステップと、中心線上において、全ての画素の中から中心位置が中心線に最も近くに存在する中心線上の位置と、中心位置とを関連付けるステップから成ることを特徴とする。
【００２５】
また、本発明は、前述の偽造防止用潜像画像表出構造の作製方法を、入力部、処理部、記憶部及び出力部を備える画像作製装置に実行させるための偽造防止用潜像画像表出構造作製用ソフトウェアであって、入力部によって基画像を入力又は処理部によって基画像を作製して基画像データを生成するステップと、入力部によってあらかじめ作製されたフィルタ画像を入力又は処理部によってフィルタ画像を作製してフィルタ画像データを生成するステップと、処理部によって、基画像を分割して所定の縮率で圧縮するときの圧縮する方向をベクトル情報として保有する基画像圧縮情報データを生成するステップと、処理部によって、基画像圧縮情報データ、基画像が存在する画素の位置データ及びあらかじめ設定した圧縮係数を用いて潜像画線を構成する画素の参照位置を求めて基画像を圧縮処理するステップと、処理部によって、参照位置における画素に基画像の色情報を付与して潜像画線群を生成するステップと、出力部によって、潜像画線群を出力するステップと、を備える偽造防止用潜像画像表出構造の作製方法を画像作製装置に実行させることを特徴とする偽造防止用潜像画像表出構造作製用ソフトウェアである。
【００２６】
さらに、本発明の偽造防止用潜像画像表出構造作製用ソフトウェアは、基画像圧縮情報データを生成するステップが、処理部によって、フィルタ画線に対する中心線を抽出するステップと、処理部によって、フィルタ画像内の全ての画素に対して中心位置を求めるステップと、処理部によって、中心線上において、全ての画素の中から中心位置が中心線に最も近くに存在する中心線上の位置と、中心位置とを関連付けるステップとを有することを特徴とする。
【発明の効果】
【００２７】
本発明の偽造防止用潜像画像表出構造における潜像画線群は、従来のスクランブルイメージのように各潜像画線は直線で構成する必要はなく、各潜像画線の画線形状や画線方向、画線幅、画線ピッチ等を自在に変更できるために、潜像画線群の形状が一見して暗号化された基画像を予見しづらく、かつ、偽造がより困難である。
【００２８】
本発明の潜像印刷物は、従来の技術のように一定の画線方向に伸びる直線に限定されず、非相似形に形成されていることから様々な画線角度を成す曲画線群によって構成することができるため、あらゆる角度から入射する光に対して、少なくとも印刷物中のいずれかの部分には優れた動画効果が生じ、かつ、潜像画像は高い視認性で再現されるため、従来の技術のように印刷画像全体の効果や視認性が極端に低下する入射角度が存在せず、あらゆる観察環境で安定して真偽判別することができる。
【００２９】
本発明の潜像印刷物は、従来の技術のように一定の画線方向に伸びる直線に限定されず、非相似形に形成されていることから、潜像画像の動く方向は一つの方向だけに制限されることなく、曲画線群の角度を変えることによって、あらゆる方向に自由に動かすことができ、動画効果デザイン上の制約が小さい。
【００３０】
本発明の作製方法及びソフトウェアは、複雑な形状の潜像画線群を短時間で作製可能であり、手作業による作製が極めて困難な程に複雑な形状の潜像画像群であっても、フィルタ画線群との重ね合わせにより基画像が潜像画像として表出するような、的確な形状の潜像画線群を現実的な時間内で作製することが可能である。
【図面の簡単な説明】
【００３１】
【図１】本発明の偽造防止用潜像画像表出構造における潜像画線群を示す。
【図２】本発明の偽造防止用潜像画像表出構造における基画像を示す。
【図３】本発明の偽造防止用潜像画像表出構造における潜像画線の形状を示す。
【図４】本発明の偽造防止用潜像画像表出構造における潜像画線群に含まれる画像の一部を示す。
【図５】本発明の偽造防止用潜像画像表出構造における潜像画線の作製方法を示す。
【図６】本発明の偽造防止用潜像画像表出構造における潜像画線群の作製方法を示す。
【図７】本発明の偽造防止用潜像画像表出構造における画線方向等の説明図を示す。
【図８】本発明の偽造防止用潜像画像表出構造におけるフィルタ画線群を示す。
【図９】本発明の偽造防止用潜像画像表出構造におけるフィルタ画線の形状を示す。
【図１０】本発明の偽造防止用潜像画像表出構造におけるフィルタ群の構造を示す。
【図１１】本発明の偽造防止用潜像画像表出構造の効果を示す。
【図１２】本発明の偽造防止用潜像画像表出構造における潜像画線群を示す。
【図１３】本発明の偽造防止用潜像画像表出構造における潜像画線群に含まれる画像の一部を示す。
【図１４】本発明の偽造防止用潜像画像表出構造における潜像画線の作製方法を示す。
【図１５】本発明の偽造防止用潜像画像表出構造における潜像画線群の作製方法を示す。
【図１６】本発明の偽造防止用潜像画像表出構造における潜像画線群を示す。
【図１７】本発明の偽造防止用潜像画像表出構造におけるフィルタ画線群の一例を示す。
【図１８】本発明の偽造防止用潜像画像表出構造における使用方法の一例を示す。
【図１９】本発明の潜像印刷物を示す。
【図２０】本発明の潜像印刷物の構造概要を示す。
【図２１】本発明の潜像印刷物の蒲鉾状画線の形状を示す。
【図２２】本発明の潜像印刷物の潜像画線の形状を示す。
【図２３】本発明の潜像印刷物の蒲鉾状画線群と潜像画線群の重なり合いの位置関係を示す。
【図２４】本発明の潜像印刷物の効果を示す。
【図２５】本発明の潜像印刷物の潜像画像の動きの方向を示す。
【図２６】本発明の潜像印刷物の光の反射状態を示す。
【図２７】本発明の潜像印刷物を示す。
【図２８】本発明の潜像印刷物の構造概要を示す。
【図２９】本発明の潜像印刷物の基画像を示す。
【図３０】本発明の潜像印刷物の蒲鉾状画線の形状を示す。
【図３１】本発明の潜像印刷物の蒲鉾状画線群の構成を示す。
【図３２】本発明の潜像印刷物の潜像画線の形状を示す。
【図３３】本発明の潜像印刷物の潜像画線に含まれる画像を示す。
【図３４】本発明の潜像印刷物の蒲鉾状画線群と潜像画線群の重なり合いの位置関係を示す。
【図３５】本発明の潜像印刷物の効果を示す。
【図３６】本発明の潜像印刷物の潜像画像において生じる形状の変化を示す。
【図３７】本発明の潜像印刷物を示す。
【図３８】本発明の潜像印刷物の構造概要を示す。
【図３９】本発明の潜像印刷物の基画像を示す。
【図４０】本発明の潜像印刷物の蒲鉾状画線の形状を示す。
【図４１】本発明の潜像印刷物の蒲鉾状画線群の構成を示す。
【図４２】本発明の潜像印刷物の潜像画線の形状を示す。
【図４３】本発明の潜像印刷物の潜像画線に含まれる画像を示す。
【図４４】本発明の潜像印刷物の蒲鉾状画線群と潜像画線群の重なり合いの位置関係を示す。
【図４５】本発明の潜像印刷物の効果を示す。
【図４６】本発明の潜像印刷物の作製に用いられる装置の構成を示すブロック図を示す。
【図４７】本発明の潜像印刷物の作製方法及び作製プログラムにおける手順を示すフローチャートを示す。
【図４８】本発明の潜像印刷物の作製方法及び作製プログラムにおける手順を示すフローチャートを示す。
【図４９】本発明の説明において画像内の位置を表すための座標の定義を示す。
【図５０】本発明の潜像印刷物の作製方法及び作製プログラムにおけるフィルタ画線及び中心線を示す。
【図５１】本発明の潜像印刷物の作製方法及び作製プログラムにおける再近傍中心位置取得位置Ｐの定め方の一例を示す。
【図５２】本発明の潜像印刷物の作製方法及び作製プログラムにおける再近傍中心位置取得位置Ｐの定め方の一例を示す。
【図５３】本発明の潜像印刷物の作製方法及び作製プログラムにおける再近傍中心位置取得位置Ｐと中心線上のうち最も近い位置との対応の一例を示す。
【図５４】本発明の潜像印刷物の作製方法及び作製プログラムにおける基画像圧縮処理内で、基画像内の位置と潜像画線群画像内の位置との対応の一例を示す。
【図５５】従来の技術を示す。
【図５６】従来の技術の構造を示す。
【図５７】従来の技術の作製方法を示す。
【図５８】従来の技術の効果を示す。
【発明を実施するための形態】
【００３２】
（第一の実施の形態）
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００３３】
まず、偽造防止用潜像画像表出構造における潜像画線群（１）の一例について説明する。図１に本発明の潜像画線群（１）を示す。なお、この潜像画線群（１）とは、従来の技術のスクランブルイメージにあたる。潜像画線群（１）は、潜像画線（３）の集合によって構成されて成る。図１に示す潜像画線群（１）は図２に示す「三つの桜の花びら」の画像と「２０１３」の数字を含んだ基画像（２）を特定の方法で分断及び圧縮することで形成した。同じ基画像（２）を従来の方法で作製した図５５のスクランブルイメージ（１）と比較すると、基画像（２）を予見することが困難な構成となっている。
【００３４】
図３に潜像画線群（１）の具体的な構成を示す。潜像画線群（１）は、それぞれ形状が相似でない、すなわち非相似形状の複数の潜像画線（３）によって構成されて成る。第一の実施の形態においては、潜像画線群（１）の中心（Ａ−Ａ’線上）に位置する潜像画線（３（ａ））は、両端が細く尖った直線であり、中心部から図中Ｓ１方向に向かって、極端に縦長な半楕円の潜像画線（３（ｂ））、やや縦長な半楕円の潜像画線（３（ｃ））、縦長な潜像画線（３（ｄ））へ形状が微妙に変化している。図３においては潜像画線群（１）の中から四つの潜像画線（３（ａ）、３（ｂ）３（ｃ）３（ｄ））のみを抜粋して拡大するが、第一の実施の形態において、一つの潜像画線群（１）を構成する潜像画線（３）であってもそれぞれの画線形状はすべて異なっている。なお、第一の実施の形態においては、潜像画線群（１）に含まれるすべての潜像画線（３）が互いに相似でなく、非相似形状である例であるが、本発明の潜像画線群（１）の構成はこれに限定されるわけではなく、少なくとも潜像画線群（１）に含まれる潜像画線（３）の中に相似でない形状の潜像画線（３）が一部に含まれていれば良い。
【００３５】
なお、それぞれの潜像画線（３）とは、黒く塗りつぶされた画像のみを指すのではなく、その周囲の画像が形成されて無い非画線領域を含めた一定の領域を指す。図３の例では中心部の潜像画線（３（ａ））は、曲線で囲まれた細い笹の葉状の領域全体を指し、半楕円の潜像画線（３（ｂ）、３（ｃ）３（ｄ））では曲線で囲まれた馬蹄形の領域全体を指す。
【００３６】
なお、第一の実施の形態において、それぞれの潜像画線（３）は互いに非相似形状であるが、隣り合う位置関係にある潜像画線（３）同士は、潜像画線群（１）に含まれるすべての潜像画線（３）の形状の中でも最も似た形状を有することが望ましい。この理由は、本発明においては、非相似形状である複数の潜像画線（３）を用いて潜像画線群（１）を形成するため、潜像画線群（１）中にはそれぞれ全く形状の異なる非相似形状の潜像画線（３）が含まれるが、それぞれ隣り合う潜像画線（３）同士の形状が著しく異なると、フィルタ画像（６）を重ねた場合、基画像（２）に歪が生じ、基画像（２）が不明瞭な形で再生される場合がある。そのため、基画像（２）を可能な限り歪のない、明瞭な形で再生するために、少なくとも隣り合った潜像画線（３）同士は非相似形状であっても、可能な限り形状を似せることが望ましい。
【００３７】
第一の実施の形態において、それぞれの潜像画線群（１）は形状が異なるため、当然のことながら画線方向や画線幅、それぞれの潜像画線（３）間のピッチも異なる。ただし、一つの潜像画線群（１）の中に含まれるそれぞれの潜像画線（３）の画線幅のうち、最も大きい画線幅を持つ潜像画線（３）の画線幅と、最も小さい画線幅を持つ潜像画線（３）の画線幅の倍率が２倍以下であることが望ましく、また同様に一つの潜像画線群（１）の中に含まれる各潜像画線（３）間のピッチは、最も大きいピッチと最も小さいピッチの倍率が２倍以下であることが望ましい。これは、これ以上の画線幅の差やピッチの差があると、フィルタ画像（６）を重ねた場合に出現する基画像（２）が、部分的に解像度が低下したり、濃淡に強弱が生じたりするためであり、基画像（２）を画像全体として違和感なく再生するために満たしたほうが良い条件である。また、画線幅は図３における中心部の潜像画線（３（ａ））で示した例のように、一つの潜像画線（３）の中でも太くしたり、細くしたり、自在に変化させて良い。
【００３８】
続いて、潜像画線群（１）のより具体的な構造を説明するとともに、同時にその作製方法について説明する。図４に示すように、説明の都合上、潜像画線群（１）の一部である「２０１３」の文字を暗号化した部分を抜粋して拡大し、その部分の構造について具体的に説明する。図４に拡大した潜像画線群（１）の「２０１３」を表す部分は、ｎ個の潜像画線（３（１）、３（２）、３（３）・・・３（ｉ）・・・３（ｎ−１）、３（ｎ））から成る。具体的には、特定の画線幅（Ｗ１（１））の第一の潜像画線（３（１））から第一の潜像画線（３（１））の画線方向と直交する方向（図中Ｓ１方向）の特定のピッチＰ１（１）ずれた位置に、特定の画線幅（Ｗ１（２））の第二の潜像画線（３（２））があり、第二の潜像画線（３（２））から第二の潜像画線（３（２））の画線方向と直交する方向（図中Ｓ１方向）の特定のピッチＰ１（２）ずれた位置に、特定の画線幅（Ｗ１（３））の第三の潜像画線（３（３））があり、・・・特定の画線幅（Ｗ１（ｎ−１））を有する第ｎ−１の潜像画線（３（ｎ−１））から第ｎ−１の潜像画線（３（ｎ−１））の画線方向と直交する方向（図中Ｓ１方向）の特定のピッチＰ１（ｎ）ずれた位置に、特定の画線幅（Ｗ１（ｎ））の第nの潜像画線（３（ｎ））がある。それぞれの画線幅Ｗ１（１）、Ｗ１（２）、Ｗ１（３）、・・・Ｗ１（ｎ−１）、Ｗ１（ｎ）は同じ値でも良く、異なっていても良い。また、それぞれのピッチＰ１（１）、Ｐ１（２）、Ｐ１（３）、・・・Ｐ１（ｎ−１）、Ｐ１（ｎ）は、同じ値でも良く異なっていても良い。
【００３９】
それぞれの潜像画線（３）は、基画像（２）を部分的に取り出して潜像画線（３）の画線方向と直交する方向に沿って圧縮した構造を有する。第一の実施の形態における潜像画線群（１）については、それぞれの潜像画線（３）は、形状自体が異なること加え、それぞれが現す画像（黒く塗りつぶした部分）もすべて異なる。
【００４０】
それぞれの潜像画像（３）が表す画像の構成について、作製方法を解説しながら明らかにする。例として第一の潜像画線（３（１））から第一の方向（Ｓ１方向）に数えてｉ番目にあたる第ｉの潜像画線（３（ｉ））の具体的な作製方法について図５を用いて説明する。なお、説明の都合上、潜像画線群（１）の一部である「２０１３の数字」の部分のみを抜粋して説明する。まず、基画像（２）である「２０１３」に対して、図５（ａ）に示すように第ｉの潜像画線（３（ｉ））の輪郭を現した第ｉの輪郭領域（４（ｉ））を特定の位置に重ねる。それぞれの輪郭領域（４）とは、それぞれの潜像画線（３）の輪郭を現したものである。
【００４１】
この第ｉの輪郭領域（４（ｉ））と、基画像（２）との位置関係を決めたのち、この第ｉの輪郭領域（４（ｉ））の中心線（４ａ（ｉ））から、画線方向と直交する方向（図中Ｓ１方向）にそれぞれ均等な距離（Ｌ／２）の長さの辺（Ｌ）を有し、対象と成る基画像（２）が完全に含まれる高さ（Ｈ）を有する第ｉのフレーム（４ａ（ｉ））を配置する。この第ｉのフレーム（４ａ（ｉ））の範囲中に含まれる基画像（２）を図５（ｄ）のように第ｉのフレーム内画像（５（ｉ））とする。この第ｉのフレーム内画像（５（ｉ））を図５（ｅ）に示すように第iの輪郭領域（４（ｉ））の中心線（４ａ（ｉ））の画線方向と直交する方向に対して、中心線（４ａ（ｉ））に向かって一定の圧縮率で圧縮し、図５（ｅ）に示すような画線方向と直交する方向の長さ（画線幅）Ｗ０の第ｉの圧縮フレーム内画像（５Ｐ（ｉ））を作製する。この第ｉの圧縮フレーム内画像（５P（ｉ））に対して、図５（ｆ）に示すように、第ｉの輪郭領域（４（ｉ））をマスクとして重ね合わせ、第ｉの圧縮フレーム内画像（５Ｐ（ｉ））と第ｉの輪郭領域（４（ｉ））が重畳した領域が、第ｉの潜像画線（３（ｉ））となる。
【００４２】
以上のような方法を繰り返して、第一の潜像画線（３（１））から第ｎの潜像画線（３（ｎ））までを作製したものが図６に示す潜像画線群である。すなわち、それぞれの潜像画線（３）とは、各潜像画線（３）が位置する位相を中心として基画像（２）に特定のフレーム（４ａ）を当てはめて圧縮フレーム内画像（５Ｐ）を作製して、最後に輪郭領域（４）をマスクとして重畳領域を取りだしてそれぞれの潜像画線（３）としてのものである。ピッチＰ１離れて隣り合う、潜像画線（ｉ）と、潜像画線（ｉ＋１）とは、基画像（２）をそれぞれピッチＰ１離れた位置でそれぞれの潜像画線の形状に応じて圧縮した画線である。
【００４３】
以上のように、それぞれの潜像画線（３）の幅はそれぞれ異なっている一方で、それぞれの潜像画線（３）に対して適用するフレームにおける、画線方向と直交する方向の長さ（画線幅）Ｌは、いずれの潜像画線（３）においても同じであり、また、それぞれの圧縮フレーム内画像（５Ｐ）における、画線方向と直交する方向の長さ（画線幅）Ｗ０は、いずれの潜像画線（３）においても同じである。そのため、それぞれの潜像画線（３）中に含まれる基画像（２）の圧縮率（Ｗ０／Ｌ）はすべて同じである。フレームの高さ（Ｈ）については、対象と成る基画像（２）が完全に含まれる高さが有れば良い。以上が本発明の潜像画線群（１）の構成とその作製方法である。
【００４４】
本発明で言う「画線方向」及び「画線方向と直交する方向」について説明する。画線が直線である場合、図７(ａ)に示すように画線方向は完全に固定された一つの方向のみとなり、その方向は画線自体と一致し、画線方向と直交する方向は、画線と９０度で交わる方向となる。一方、図７(ｂ)に示すように画線が曲線である場合、画線方向とはそれぞれの地点で連続的に変化する。すなわち、それぞれの地点における曲線の接線方向が画線方向となり、画線方向と直交する方向とは、それぞれの地点における曲線の法線方向（画線上のある点から直角に外側に向かう方向）となる。
【００４５】
本発明を構成する潜像画線群（１）を構成する上で従来の作製方法と最も異なる点は、それぞれの圧縮フレーム内画像（５Ｐ）を、最終的にそれぞれ対を成す輪郭領域（４）でマスクして抜き出す工程の存在である。この工程が必要な理由は、以下の通りである。本発明の潜像画線群（１）は、それぞれの潜像画線（３）の画線幅やピッチがそれぞれ異なるために、それぞれの潜像画線（３）の画線幅やピッチに合わせてそれぞれの潜像画線（３）に対して圧縮率自体を変えてしまった場合、後述するフィルタ画像（６）を重ね合わせた場合に再生される基画像（２）に歪みが生じて不明瞭な画像となってしまう。本発明のように、画線幅やピッチがそれぞれ異なる潜像画線（３）によって構成された、従来技術と比較してより複雑な潜像画線群（１）を構成している場合、一旦すべて同じ圧縮率で圧縮フレーム内画像（５Ｐ）を作製したのち、輪郭領域（４）でマスクして重畳領域を、潜像画線（３）を構成しなければ、基画像（２）を歪み無く再生することができない。
【００４６】
続いて、本発明の偽造防止用潜像画像表出構造を実現する上で、潜像画線群（１）と対を成し、潜像画線群（１）中に暗号化された基画像（２）を再生するために必要となるフィルタ画像（６）について説明する。図８にフィルタ画像（６）の概要を示し、図９及び図１０にフィルタ画像（６）の具体的な構造を示す。フィルタ画像（６）は、潜像画線群（１）の各潜像画線（３）と対を成すフィルタ画線（７）が複数配置されたフィルタ画線群（１７）により構成されて成る。
【００４７】
本発明において、潜像画線（３）とフィルタ画線（７）が対を成すとは、潜像画線群（１）の上にフィルタ画線群（１７）が配置される際に、一つの潜像画線（３）に対して一つのフィルタ画線（７）が配置されることである。したがって、対を成す潜像画線（３）とフィルタ画線（７）が配列されている潜像画線群（１）とフィルタ画線群（１７）のピッチは同一の関係となっている。
【００４８】
図９に示すのは、図３に示した四つの潜像画線（３（ａ）、３（ｂ）３（ｃ）３（ｄ））と、それぞれの潜像画線に対応した四つのフィルタ画線（７（ａ）、７（ｂ）７（ｃ）７（ｄ））を抜粋したものである。それぞれのフィルタ画線（７）は、基本的にはそれぞれ対を成す潜像画線（３）の輪郭領域（４）内部を完全に塗りつぶした構造を有する。フィルタ画線（７）の画線幅（Ｗ２（ｉ））は、対を成す潜像画線（３）の画線幅（Ｗ１（ｉ））と異なっていてもよい。ただし、その画線幅の変化率（Ｗ２（ｉ）／Ｗ１（ｉ））は、すべての画線において同じである必要がある。
【００４９】
図１０に示すのは、図４に示した潜像画線群（１）と対を成す領域のフィルタ画線群（１７）を抜粋し、拡大して示したものである。この領域におけるフィルタ画線群（１７）は、ｎ個のフィルタ画線（７（１）、７（２）、７（３）・・・７（ｉ）・・・７（ｎ−１）、７（ｎ））から成る。具体的には、特定の画線幅（Ｗ２（１））の第一のフィルタ画線（７（１））から第一のフィルタ画線（７（１））の画線方向と直交する方向（図中Ｓ１方向）の特定のピッチＰ１（１）ずれた位置に、特定の画線幅（Ｗ２（２））の第二のフィルタ画線（７（２））があり、第二のフィルタ画線（７（２））から第二のフィルタ画線（７（２））の画線方向と直交する方向（図中Ｓ１方向）の特定のピッチＰ１（２）ずれた位置に、特定の画線幅（Ｗ２（３））の第三のフィルタ画線（７（３））があり、・・・特定の画線幅（Ｗ２（ｎ−１））を有する第ｎ−１のフィルタ画線（７（ｎ−１））から第ｎ−１のフィルタ画線（７（ｎ−１））の画線方向と直交する方向（図中Ｓ１方向）の特定のピッチＰ１（ｎ）ずれた位置に、特定の画線幅（Ｗ２（ｎ））の第ｎのフィルタ画線（７（ｎ））がある。
【００５０】
このフィルタ画線（７）はそれぞれ前述の潜像画線（３）と対を成す関係にあり、第一のフィルタ画線（７（１））は、第一の潜像画線（３（１））と対を成し、第二のフィルタ画線（７（２））は、第二の潜像画線（３（２））と対を成し、第三のフィルタ画線（７（３））は、第三の潜像画線（３（３））と対を成し・・・第ｎ−１のフィルタ画線（７（ｎ−１））は、第ｎ−１の潜像画線（３（ｎ−１））と対を成し、第ｎのフィルタ画線（７（ｎ））は、第ｎの潜像画線（３（ｎ））と対を成す関係にある。
【００５１】
それぞれのフィルタ画線（７）の画線幅Ｗ２（１）、Ｗ２（２）、Ｗ２（３）、・・・Ｗ２（ｎ−１）、Ｗ２（ｎ）は同じ値でも良く異なっていても良い。また、それぞれのフィルタ画線（７）のピッチＰ１（１）、Ｐ １（２）、Ｐ １（３）、・・・Ｐ１（ｎ−１）、Ｐ１（ｎ）は同じ値でも良く異なっていても良い。加えて、それぞれの画線幅Ｗ１（１）、Ｗ１（２）、Ｗ１（３）、・・・Ｗ１（ｎ−１）、Ｗ１（ｎ）と、それぞれのフィルタ画線（７）の画線幅Ｗ２（１）、Ｗ２（２）、Ｗ２（３）、・・・Ｗ２（ｎ−１）、Ｗ２（ｎ）は同じ値でも良く異なっていても良い。一方、それぞれのフィルタ画線（７）と潜像画線（３）のピッチＰ１（１）、Ｐ１（２）、Ｐ１（３）、・・・Ｐ１（ｎ−１）、Ｐ１（ｎ）は同じ値である必要がある。以上がフィルタ画線群（１７）から成るフィルタ画像（６）の説明である。
【００５２】
なお、フィルタ画線群（１７）については、前述した潜像画線群（１）との重ね合わせにより、分割された基画像（２）が結合画像として表出されるものであるため、潜像画線群（１）の一部の情報をサンプリング（取り出し）できる機能（色、特性等）を有する必要がある。
【００５３】
続いて、本発明の潜像画線群（１）とフィルタ画像（６）を重ね合わせた場合の効果について説明する。図１１（ａ）に示すように、それぞれ対を成す潜像画線（３）とフィルタ画線（７）がほぼ重なり合う位置関係で二つの画像を重ね合わせると、図１１（ｂ）に示すように基画像（２）が再生される。潜像画線群（１）とフィルタ画像（６）を重ね合わせて基画像（２）が再生される効果は、従来のスクランブルイメージと同様であるが、それぞれ対を成す画線同士が重なり合うような位置関係で重ね合わせ無い限り、基画像（２）は再生されない。これは、従来の単純な直線で構成されたスクランブルイメージにおいては、二つの画像が単に平行に重なれば画像が再生されていたのと大きく異なる。すなわち、潜像画線群（１）を再生するための判別具であるフィルタ画像（６）を保持していたとしても、適正な重ね合わせ位置を知らなければ基画像（２）を再生させることができない。このような効果は、従来の技術と比較して判別者を限定した、セキュリティレベルのより高い技術として機能させる場合に特に有効である。
【００５４】
（第二の実施の形態）
続いて、第二の実施の形態として、偽造防止用潜像画像表出構造における潜像画線群（１）の構成の一例であって、第一の実施の形態と異なった潜像画線群（１’）の構成について説明する。図１２に本発明の潜像画線群（１’）を示す。潜像画線群（１’）は、潜像画線（３’）の集合によって構成されて成る。図１２に示す潜像画線群（１’）は、第一の実施の形態と同様な基画像（２）、すなわち図２に示した「三つの桜の花びら」の画像と「２０１３」の数字を含んだ基画像（２）を第一の実施の形態とは異なる方法で分断及び圧縮することで形成して成る。この潜像画線群（１’）における一つ一つの潜像画線（３’）は、ミラー反転によって鏡像化されているために、同じ基画像（２）から作製した図１の潜像画線群（１）と比較すると、基画像（２）を予見することがより困難な構成となっている。
【００５５】
図１３に潜像画線群（１’）の具体的な構成を示す。潜像画線群（１’）は、第一の実施の形態の例と同様に、それぞれ形状が相似でない、すなわち非相似形状の複数の潜像画線（３’）によって構成されて成る。第二の実施の形態における潜像画線群（１’）と、第一の実施の形態における潜像画線群（１）とは、それぞれの潜像画線（３’）中の画像が異なるだけであり、基本的な輪郭領域（４）の形状や画線幅、画線ピッチ等は、第一の実施の形態と同様であるため、具体的な説明については省略する。
【００５６】
第二の実施の形態における潜像画線群（１’）と、第一の実施の形態における潜像画線群（１）の相違点である、それぞれの潜像画像（３’）が表す画像の構成について、作製方法を解説しながら明らかにする。例として第一の潜像画線（３’（１））からＳ１方向に数えてｉ番目にあたる第ｉの潜像画線（３’（ｉ））の具体的な作製方法について図１４を用いて説明する。なお、説明の都合上、潜像画線群（１’）の一部である「２０１３の数字」の部分のみを抜粋して説明する。まず、基画像（２’）である「２０１３」に対して、図１４（ａ）に示すように第ｉの潜像画線（３’（ｉ））の輪郭を現した第ｉの輪郭領域（４’（ｉ））を特定の位置に重ねる。
【００５７】
この第ｉの輪郭領域（４’（ｉ））と、基画像（２’）との位置関係を決めたのち、この第ｉの輪郭領域（４’（ｉ））の中心線（４ａ’（ｉ））から、画線方向と直交する方向（図中Ｓ１方向）にそれぞれ均等な距離（Ｌ／２）の長さの辺（Ｌ）を有し、対象と成る基画像（２’）が完全に含まれる高さ（Ｈ）を有する第ｉのフレーム（４ａ’（ｉ））を配置する。ここまでは第一の実施の形態の手法と全く同じである。第二の実施の形態においては、この第ｉのフレーム（４ａ’（ｉ））の範囲中に含まれる基画像（２）を図１４（ｄ）に示すように、ミラー反転して鏡像化し、この鏡像化した画像を第ｉのフレーム内画像（５Ｒ’（ｉ））とする。この鏡像化した第ｉのフレーム内画像（５Ｒ’（ｉ））を第一の実施の形態と同様に、図１４（ｅ）に示すように第ｉの輪郭領域（４’（ｉ））の中心線（４ａ’（ｉ））の画線方向と直交する方向に対して、中心線（４ａ’（ｉ））に向かって一定の圧縮率で圧縮し、図１４（ｅ）に示すような画線方向と直交する方向の長さ（画線幅）Ｗ０の第ｉの圧縮フレーム内画像（５Ｐ’（ｉ））を作製する。この第ｉの圧縮フレーム内画像（５Ｐ’（ｉ））に対して、第一の実施の形態と同様に、図１４（ｆ）に示すように、第ｉの輪郭領域（４’（ｉ））をマスクとして重ね合わせ、第ｉの圧縮フレーム内画像（５Ｐ’（ｉ））と第ｉの輪郭領域（４’（ｉ））が重畳した領域が、第iの潜像画線（３’（ｉ））となる。
【００５８】
以上のような方法を繰り返して、第一の潜像画線（３’（１））から第ｎの潜像画線（３’（ｎ））までを作製することができる。すなわち、図１５に示すように、それぞれの基画像（２’）に対して特定の方向（Ｓ１方向）に位相がずれて配されたそれぞれの輪郭領域の中心線（４’）を基準に同じ幅Ｌのフレームを当てはめ、フレーム内に含まれた画像を鏡像化したのち圧縮して、圧縮フレーム内画像（５Ｐ’）を作製して、最後に輪郭領域（４’）をマスクとして重畳領域を取りだしてそれぞれの潜像画線（３’）とすることで、潜像画線群（１’）とする。以上のように、第二の実施例における潜像画線群（１’）と、第一の実施例における潜像画線（１）の違いとは、それぞれを構成する潜像画線（３’、３）が基画像（２’、２）をミラー反転した鏡像であるか否かである。その他の潜像画線群（１’）の構造、加えて潜像画線群（１’）と対を成すフィルタ画線（６’）の構造等は、第一の実施の形態と同様であることから説明を省略する。この潜像画線群（１’）に第一の実施の形態で説明したのと同じフィルタ画像（６’）を重ね合わせた場合、第一の実施の形態と同様に基画像（２’）が再生される。
【００５９】
本発明の潜像画線群（１）は、第一の実施の形態で説明した構成と、第二の実施の形態で説明した構成を同時に用いることもできる。図１６に示す潜像画線群（１）は、基画像（２）のうち、左端の桜の花びら（２ｂ）と右端の桜の花びら（２ｄ）とを第一の実施の形態で説明した構造、すなわち基画像（２）を鏡像化していない構造とし、その他中央の桜の花びら（２ｃ）と数字（２ａ）を第二の実施の形態で説明した構造、すなわち基画像（２）を鏡像化した構造としている。このように、一つの基画像（２）に対して、第一の実施の形態で説明した構造と、第二の実施の形態で説明した構造の、二つの異なる構造を組み合わせても良い。
【００６０】
また、フィルタ画線群（１７）や潜像画線群（１）の形状（より具体的には潜像画線群（１）の輪郭領域（４）の構造）については、当然のことながら第一の実施の形態と第二の実施の形態で説明したような構造に限定されるわけではない。図１７に一例を示すが、例えば図１７（ａ）に示すように曲線から直線へと変化する構造、図１７（ｂ）のようにある曲線が異なる形状の曲線へと変化する構造、図１７（ｃ）のような直線から楕円へと変化する構造、図１７（ｄ）のような円が楕円へと変化する構造等、それぞれのフィルタ画線群（１７）や潜像画線群（１）を構成するフィルタ画線（７）、潜像画線（３）の中に、少なくとも一部に互いに非相似な形状が存在すれば良い。このような構造を含むことで、従来の技術と比較して、基画像（２）が予見しづらく、かつ、偽造が困難な本発明の偽造防止用潜像画像表出構造を実現することができる。
【００６１】
この偽造防止用潜像画像表出構造の具体的な付与形態の一例としては、図１８に示すように、セキュリティ印刷物（８）に一部に潜像画線群（１）を印刷し、真偽判別が必要な場合に、本技術の情報開示対象者が透過性を有する基材に付与されたフィルタ画像（６）を重ね合わせて基画像（２）が再生されることを確認すればよい。
【００６２】
この偽造防止用潜像画像表出構造の潜像画線群（１）を作製する上で、潜像画線群（１）を見た場合に基画像（２）を予見しづらい画像としたいと作製者が考える場合には、潜像画線群（１）の形状をより複雑な構成とすることに加え、それぞれの潜像画線（３）中に含まれる基画像（２）の圧縮率（Ｗ０／Ｌ）をより小さな値とすることが望ましい。この圧縮率（Ｗ０／Ｌ）の値が１の場合には潜像画線群（１）は基画像（２）と同じ画像であり、圧縮率が１より小さな値となるにつれて一つの潜像画線（１）の中に含まれる基画像（２）の情報が多くなり、結果として潜像画線群（１）を見ても基画像（２）を予見しづらい画像へと変化する。この偽造防止用潜像画像表出構造の潜像画線群（１）を作製する上では、圧縮率は０．０１以上、０．５以下の値を用いることが望ましい。
【００６３】
圧縮率が０．５を超えると潜像画線群（１）を見た場合に基画像（２）を容易に予見できてしまい、０．０１未満だと用いる潜像画線群（１）の形状によっては、再生される基画像（２）に歪が生じて不明瞭な画像となる場合があるためである。
【００６４】
（第三の実施の形態）
続いて、第三の実施の形態として前述の偽造防止用潜像画像表出構造を応用して作製する潜像印刷物について説明する。この潜像印刷物とは、正反射光下において基画像にあたる潜像画像が再生され、かつ、観察角度を変化させることで再生された基画像が動いて見える、いわゆる、「動画的な視覚効果」を備える。基本的には前述の偽造防止用潜像画像表出構造の潜像画線群とフィルタ画線群とを一体化した技術であり、フィルタ画線群と同じ模様を盛り上がりのある蒲鉾状の画線で形成し、その上に潜像画線群を重ねて形成する。前述の偽造防止用潜像画像表出構造とは異なり、観察者はフィルタ画像を別に用意する必要がなく、可視光下で容易に真偽判別することができるため、真偽判別性に優れた技術である。
【００６５】
図１９に、本発明の潜像印刷物（９’’）を示し、図１９（ｂ）には潜像印刷物（９’’）のＡ−Ａ’ラインにおける断面図を示す。潜像印刷物（９’’）は、基材（１０’’）上に、印刷画像（１１’’）を備える。基材（１０’’）は、印刷画像（１１’’）が形成できれば、紙であってもプラスティックであっても、金属等であっても良く、材質は問わない。また、印刷画像（１１’’）は透明であっても着色されていても良く、その色彩は問わない。
【００６６】
図２０に印刷画像（１１’’）の構成の概要を示す。印刷画像（１１’’）は、前述の偽造防止用潜像画像表出構造におけるフィルタ画像（６、６’）にあたる蒲鉾状画線群（６’’）と、偽造防止用潜像画像表出構造における潜像画線群（１’’）が重なって形成されて成る。印刷画像（１１’’）の積層構造は、蒲鉾状画線群（６’’）の上に潜像画線群（１’’）が重なる構造を有して成る。
【００６７】
第三の実施の形態において、潜像印刷物（９’’）の蒲鉾状画線群（６’’）の構成は、第１の実施の形態で用いたフィルタ画像（６）と同じ画像を用い、潜像印刷物（９’’）の潜像画線群（１’’）の構成は、前述の図１６で潜像画線群（１）と同じ画像を用いた例で説明する。
【００６８】
まず、蒲鉾状画線群（６’’）について説明する。前述の通り、第１の実施の形態で用いたフィルタ画像（６）と同じ画像を用いており、図２１に示すように、それぞれ形状が互いに相似でない、すなわち非相似形状の複数の蒲鉾状画線（７’’）によって構成されて成る。フィルタ画線群（１７）におけるフィルタ画線（７）と、本潜像印刷物（９’’）における蒲鉾状画線（７’’）の違いとは、蒲鉾状画線（７’’）は高さ方向に一定の高さの盛り上がりを必要とすることと、後述する光学特性が必要なことであり、平面構造についてはフィルタ画線（７）と同じである。
【００６９】
以上のような構成の蒲鉾状画線群（６’’）を、印刷画線に盛り上がりを形成できる印刷方式によって形成する。出現する潜像画像に一定の視認性を確保するためには、蒲鉾状画線（７’’）の盛り上がり高さは３μｍ以上が必要であるため、スクリーン印刷や凹版印刷等で形成することが望ましいが、グラビア印刷やフレキソ印刷、凸版印刷等であってもこの程度の画線の盛り上がり高さを形成することは可能である。また、盛り上がりの高さの上限に関しては、特に制限はないが、大量に積載した場合の安定性や耐摩擦性、流通適性等を考慮して１ｍｍ以下とする。
【００７０】
また、蒲鉾状画線（７’’）は、明暗フリップフロップ性又は、カラーフリップフロップ性を備える必要がある。明暗フリップフロップ性とは、正反射した場合に明度が上昇する特性を指し、カラーフリップフロップ性とは、色相が変化する特性を指す。すなわち、蒲鉾状画線（７’’）は、光が入射した場合に、明度や色相が変化することで、色彩が大きく変化する特性を有する必要がある。色彩の変化の大きさが大きければ大きいほど、出現する潜像画像の視認性は高くなる。
【００７１】
前述のような盛り上がりを有する蒲鉾状画線（７’’）に明暗フリップフロップ性を付与する方法の一例としては、高光沢なインキ樹脂を用いたり、インキ中に金属顔料を混合したりすることで容易に実現することができる。カラーフリップフロップ性を付与できる機能性材料の一例としては、パール顔料やコレステリック液晶、ガラスフレーク顔料、金属粉顔料や鱗片状金属顔料等が考えられる。
【００７２】
続いて、潜像画線群（１’’）について説明する。前述の通り、図１６に示した潜像画線群（１）と同じ画像を用いており、図２２に示すように、それぞれ形状が互いに相似でない、すなわち非相似形状の複数の潜像画線（３’’）によって構成されて成る。
【００７３】
潜像画線（３’’）には盛り上がりは必須ではなく、このため、如何なる印刷方式で形成しても良い。生産性を考えれば、オフセット印刷で形成することが最も好ましい。正反射光下で潜像化されていた基画像（２’’）を可視化するために、潜像画線（３’’）は正反射時に蒲鉾状画線（７’’）との間に色差が生じる必要があり、少なくとも反射時の色彩が蒲鉾状画線（７’’）の正反射時の色彩と異なっている必要がある。
【００７４】
また、潜像画線（３’’）は蒲鉾状画線（７’’）の上に重ねて形成されるために、潜像画線（３’’）下の蒲鉾状画線（７’’）に入射する光を遮断し、正反射光下で生じる蒲鉾状画線（７’’）の色彩変化を抑制する働きを成す。したがって、潜像画線（３’’）が重なっているか否かによって、蒲鉾状画線（７’’）の正反射時に、色彩により大きな違いが生じるため、潜像画像の視認性をより高めるためには、潜像画線（３’’）は高い光遮断性を備えていることが望ましい。
【００７５】
そのため、潜像画線（３’’）を印刷で形成する場合には、低光沢なマットインキを用いることが望ましい。また、これらのインキにチタンのような光遮断性の高い機能性材料を配合すると、より高い効果を得ることができる。
【００７６】
更に、潜像画線（３’’）は、拡散反射光下では不可視であることが望ましいことから、無色透明又は半透明程度の色彩であることが望ましい。ただし、品質管理を容易にするために、わずかに着色顔料を配合してインキを着色したり、透明インキに蛍光顔料を配合したりして、ＵＶランプを用いて脱刷や印刷不良等の異常を管理することもできる。
【００７７】
また、潜像画線（３’’）は、版面を用いる印刷機で形成するだけでなく、プリンター等のデジタル印刷機を用いて形成しても良い。また、潜像画線（３’’）にあたる画像を、蒲鉾状画線（７’’）を切削して付与することで形成することもできる。このような切削は、レーザー加工機を用いることで容易に実施することができる。レーザーが照射された蒲鉾状画線（７’’）は、多くの場合、明暗フリップフロップ性やカラーフリップフロップ性が失われるか、又は大きく低下するために、本発明で潜像画線（３’’）に必要とする特性を付与することができる。これらのプリンターやレーザー加工機を用いる場合には、一枚一枚異なる情報を与える可変情報を容易に付与できるという特徴がある。
【００７８】
本発明の潜像印刷物（９’’）は、蒲鉾状画線群（６’’）の上に潜像画線群（１’’）を重ね合わせて形成するが、この二つの画像の重ね合わせの位置関係について説明する。図２３は、蒲鉾状画線群（６’’）と潜像画線群（１’’）の二つの画像の重なり合いの適正な位置関係を示す。潜像印刷物（９’’）において、蒲鉾状画線（７’’）の上に潜像画線（３’’）が重なり合う必要があるが、二つの画線が単に重なればよいのではなく、それぞれ一対に対応した蒲鉾状画線（７’’）と潜像画線（３’’）同士が重なる必要がある。つまり、図２３の断面拡大図に示すように、それぞれの蒲鉾状画線（７’’（ｉ−１）、７’’（ｉ）、７’’（ｉ＋１）、７’’（ｉ＋２））に対してそれぞれ対を成す関係にある潜像画線（３’’（ｉ−１）、３’’（ｉ）、３’’（ｉ＋１）、３’’（ｉ＋２））がそれぞれ重なり合う位置関係が、本発明における最も適正な重ね合わせの位置関係である。
【００７９】
蒲鉾状画線群（６’’）と潜像画線群（１’’）の位置関係については、印刷時の刷り合わせの変動によっては適正な位置関係から外れる可能性がある。このような場合でも、それぞれ対を成す関係の蒲鉾状画線（７’’）と潜像画線（３’’）が、少なくとも一部に重なった状態であれば本発明の効果は発揮される。
【００８０】
続いて、本発明の潜像印刷物（９’’）の効果について説明する。図２４に、本発明の効果を示す。印刷画像（１１’’）に強い光が入射しない拡散反射光下においては、潜像画像である基画像（２’’）は不可視であり、単に印刷画像（１１’’）のみが視認できる（図示せず）。一方の正反射光下においては、桜の花びらと数字を表した基画像（２’’）が光のコントラストによって出現する。
【００８１】
図２４（ａ）、（ｂ）、（ｃ）に示すように、入射する光に対して潜像印刷物（９’’）の傾きを変えて観察することによって、印刷画像（１１’’）中の基画像（２’’）の位置が変化し、基画像（２’’）がそれぞれの位置の蒲鉾状画線（７’’）と直交する方向に動いているように見える。第三の実施の形態においては、図１６で示した左右の二つの桜の花びらは（２ｂ、２ｄ）は潜像印刷物（９’’）の傾きが大きくなるにしたがって、円心に向かって動いているように見え、中央の桜の花びら（２ｃ）は外周方向へと動いているように見え、２０１３の数字はＡ方向からＡ’方向へと動いているように見える。入射する光に対して潜像印刷物（９’’）の傾きを変えて観察することによって、すなわち、基画像（２’’）の一部がそれぞれ異なる方向へと動く効果が生じる。
【００８２】
以上のような効果が生じる原理について説明する。例えば、潜像印刷物（９’’）のＡ側の方向から光が入射した場合、蒲鉾状画線群（６’’）を形成している盛り上がりを有する蒲鉾状画線（７’’）表面のうち、光を強く正反射するのは、それぞれの画線中心からＡ側にあたる画線表面のみであり、逆に、潜像印刷物（９’’）のＡ’側の方向から光が入射した場合、蒲鉾状画線（７’’）表面のうち、光を強く正反射するのは、それぞれの画線中心からＡ’側の方向にあたる画線表面のみである。
【００８３】
以上のように、蒲鉾状画線（７’’）のような、盛り上がりを有する画線が光を反射する場合、入射する光に対して入射光と法線を成す画線表面を中心に光を反射しており、言い換えれば、入射する光の角度に応じて、盛り上がりを有する画線表面のうち、強く光を反射する領域は変化している。
【００８４】
蒲鉾状画線（７’’）の表面には、それぞれ潜像画線（３’’）が形成されていることから、蒲鉾状画線（７’’）が光を強く反射した場合には、その画線上に重ねられた潜像画線（３’’）と蒲鉾状画線（７’’）とは異なる色彩に変化し、それまで隠蔽されていた潜像画線（３’’）が色彩の違いによって可視化される。
【００８５】
この場合、可視化される潜像画線（３’’）は、蒲鉾状画線（７’’）のうち光を強く反射した領域に重ねられて形成されていた潜像画線（３’’）のみであり、それ以外の領域に重ねられて形成されていた潜像画線（３’’）は隠蔽されたままとなる。このため、光が入射した場合、蒲鉾状画線（７’’）には、その画線表面の一部にのみ、光を強く反射する領域が形成されるため、この光を強く反射した領域の上に重ねられた潜像画線（３’’）のみがサンプリングされて可視化される。このサンプリングの仕組みは、前述の偽造防止用潜像画像表出構造における蒲鉾状画線群（１）にフィルタ画像（６）を重ねた場合と同じであるため、サンプリングの結果、基画像（２’’）と同じ画像が潜像画像として再現される。
【００８６】
この際、サンプリングされる幅、すなわち、それぞれの蒲鉾状画線（７’’）が光を強く反射する領域の幅が狭い方が、出現する潜像画像は、より基画像（２’’）に近く、輪郭がシャープで画像全体が明瞭に再現される。
【００８７】
逆に、その幅が広い場合には、より潜像画線群（１’’）に近く、輪郭がぼやけ、不明瞭な状態で再現されてしまう。この状態を防ぐためには、それぞれの盛り上がりを有する画線が光を強く反射する領域を狭くする必要があり、盛り上がりを有する画線の高さをより高くすることが有効である。
【００８８】
観察者の視点が動いたり、潜像印刷物（９’’）を傾けたりした場合には、光が入射する角度が変化するために、蒲鉾状画線（７’’）の表面のうち、光を反射する領域も移動し、それに伴って潜像画線（３’’）のサンプリングされる領域も移動することで、観察者には出現した基画像（２’’）が動いて見える。
【００８９】
また、潜像画線（３’’）が、鏡像化されている場合と、鏡像化されていない構成の場合では、出現する潜像画像は全く同じ基画像（２’’）が再生されるものの、潜像画線（３’’）中の基画像（２’’）の画像情報の配置方向が逆転しているため、傾けた場合の動きの方向はそれぞれ正反対の方向に動く。
【００９０】
また、潜像印刷物（９’’）に正対して観察した場合、右眼と左眼とでは、入射した光が印刷物で反射して眼に入る角度がわずかに異なるため、蒲鉾状画線（７’’）の光を反射する画線表面もわずかに異なっている。このため、出現する潜像画像は、右眼から見た場合と左眼から見た場合では水平方向の位相が異なり、これによって両眼視差に起因する立体的な視覚効果が生じる。
【００９１】
例えば、潜像画像が右眼から見た場合よりも左眼から見た場合の方が、右にある場合には潜像画像は印刷物の表面よりも手前にあるように感じられる。逆に、潜像画像が右眼から見た場合よりも左眼から見た場合の方が、左にある場合には潜像画像は印刷物の表面よりも奥にあるように感じられる。
【００９２】
このため、各潜像画線をミラー反転させて鏡像化した潜像画線を用いて潜像画線群を形成した場合、潜像画像の動きの方向が逆方向に変化するだけでなく、遠近感も逆転する。潜像画線をミラー反転させない場合、出現する潜像画像は、印刷画像自体よりも手前に存在するように感じられ、潜像画線をミラー反転させた場合、出現する潜像画像は、印刷画像自体よりも奥に存在するように感じられる。
【００９３】
このように、遠近感が逆転する原因は、ミラー反転の有無により潜像画像の動きの方向が逆方向に変化し、右眼で捉える潜像画像の位置と、左眼で捉える潜像画像の位置が逆転するために両眼視差に起因する遠近感も逆転するためである。
【００９４】
この立体的な視覚効果を生じさせるためには、観察者から見て水平方向に画像が動いて見える効果が必須であるため、蒲鉾状画線（７’’）を垂直方向に近い角度（より具体的には観察者の左右の眼を結んだ方向と直交する方向）で並べたほうが、この効果は高くなる。
【００９５】
以上が、本発明の潜像印刷物（９’’）において、潜像印刷物（９’’）が光を強く反射した場合に潜像画像として基画像（２’’）が出現し、動画効果と立体的な視覚効果が生じる原理である。
【００９６】
本発明と従来の技術との差異の一つは、潜像画像の動きの方向の多様さにある。従来の技術においては、盛り上がりを有する画線の画線方向は一つの方向に制限されていたため、潜像画像の動く方向には制約があった。
【００９７】
例えば、図２５（ａ）に示すように、盛り上がりを有する画線の画線方向が垂直方向である場合には、潜像画像は水平方向にしか動かず、一方、図２５（ｂ）に示すように、盛り上がりを有する画線の画線方向が水平方向である場合には、潜像画像は垂直方向にしか動かない。
【００９８】
本発明の潜像印刷物（９’’）においては、図２５（ｃ）に示すように、潜像画像を動きの方向をあらかじめ決めておけば、盛り上がりを有する蒲鉾状画線（７’’）の画線方向を動きの方向と直交した画線方向に設定することで、希望する方向に潜像画像を動かすことが可能となり、動きのデザインの自由度が向上した。
【００９９】
また、従来技術のような一定の方向に潜像画像が動く効果と比較して、仮に同じ距離だけ潜像画像が動いた場合でも、複数の異なる方向に潜像画像が動いた場合には、その効果をより容易に認識することができる。このため、真偽判別技術に必須である判別性がより高まった。
【０１００】
また、従来技術において、特に図２５（ａ）に示すように、盛り上がりを有する蒲鉾状画線（７’’）の画線方向が垂直方向である場合には、例えば、第三の方向(図中Ｓ３方向)から光が入射した場合には潜像画像がシャープに再現され、優れた動画効果が生じるものの、第二の方向(図中Ｓ２方向)から光が入射した場合には、潜像画像はややぼやけた画像となるとともに、動きは鈍くなり、第一の方向（図中Ｓ１方向）から光が入射した場合には、潜像画像は不明瞭な画像となるとともに、ほとんど動きが生じなくなる。
【０１０１】
図２５（ｂ）も同様に、画線方向と平行な光に対しては、潜像画像はぼやけた画像となるとともに、ほとんど動きが生じない。以上のように、従来技術においては特定の光の入射角度では優れた効果を発揮するものの、ある特定の入射角度ではその効果が失われるという問題があった。
【０１０２】
一方、本発明の潜像印刷物（９’’）においては、図２５（ｃ）に示すように、例えば、第三の方向(図中Ｓ３方向)から光が入射した場合には、印刷画像（３）のうちの１１Ｃに示した領域では、潜像画像がシャープに再現され、動画効果も良好となる。
【０１０３】
第二の方向(図中Ｓ２方向)から光が入射した場合には、印刷画像（１１’’）のうちの１１Ｂに示した領域では、潜像画像がシャープに再現され、動画効果も良好となり、第一の方向(図中Ｓ１方向)から光が入射した場合には印刷画像（１１’’）のうちの１１Ａに示した領域では、潜像画像がシャープに再現され、動画効果も良好となる。
【０１０４】
すなわち、第一から第三までのいかなる角度で光が入射した場合でも、印刷画像（１１’’）の中の少なくとも一部の領域において、潜像画像がシャープに再現され、動画効果も良好である領域が存在する。特許文献１に記載の従来の技術においては、特定の光の入射角度において効果が低下したが、本発明の潜像印刷物（９’’）では印刷画像（１１’’）全体として効果が低下する光の入射角度がない構成を取ることができる。
【０１０５】
様々な環境下で真偽判別のために機能することが望まれる偽造防止技術においては、あらゆる条件において判別機能が失われないことが大切であり、本発明の潜像印刷物（９’’）のこの効果は、偽造防止技術に望まれる性質を満たしていると言える。
【０１０６】
また、蒲鉾状画線（７’’）は、それぞれ形状が異なる、非相似形状の画線によって構成されていることから、入射する光の角度が変化することで、蒲鉾状画線群（６’’）の光を反射する領域が変化し、美しい光のグラデーションが生じる。
【０１０７】
例えば、第三の実施の形態の例を用いて説明すると、図２６に示すように、第一の方向から光が入射した場合には、図２６（ａ）に示すように入射光と直交する蒲鉾状画線群（６’’）の集合で構成される１１Ａの領域が強く光を反射する一方、１１Ａの領域から離れるに従って１１Ｂの領域では光量はわずかずつ減り、１１Ｃの領域は、ほとんど反射光を生じない。
【０１０８】
また、第二の方向から光が入射した場合には図２６（ｂ）に示すように、入射光と直交する蒲鉾状画線群（６’’）の集合で構成される１１Ｂの領域が強く光を反射する一方、１１Ｂの領域から離れるに従って１１Ａと１１Ｃの領域では、光量はわずかずつ減る。
【０１０９】
第三の方向から光が入射した場合には図２６（ｃ）に示すように、入射光と直交する蒲鉾状画線群（６’’）の集合で構成される１１Ｃの領域が強く光を反射する一方、１１Ｃの領域から離れるに従って１１Ｂの領域では光量はわずかずつ減り、１１Ａの領域は、ほとんど反射光を生じない。
【０１１０】
以上のように、入射する光の角度に応じて、美しい光の輪のようなグラデーションが生じる。また、この光のグラデーションは、潜像印刷物（９’’）の傾きを変えた場合、その動きに対応して瞬時にその光の輪が印刷画像（１１’’）中で回転するように見えるため、人目を引きやすく、高い判別性を備える。この光のグラデーションの効果を高めるためには、それぞれの蒲鉾状画線群（６’’）の中に画線方向が大きく変化する曲線を用いることが望ましい。
【０１１１】
また、従来技術の構成では、盛り上がりを有する画線の画線方向と平行な方向から光が入射した場合、例えば、図２５（ａ）に示した構成では第一の方向から光が入射した場合、潜像画像がぼやけて動画効果が生じないだけでなく、印刷画像中に潜像画線群全体が反射光の強弱によって浮かび上がってしまい、観察者に不完全な画像を視認されてしまうという問題があった。
【０１１２】
これは、従来技術の構成では、盛り上がりを有する画線すべてが同じ画線方向を有するために、平行な方向から光が入射した場合には盛り上がりを有する画線全体から均等なムラのない反射光が生じてしまい、潜像画線群の有無のみが必要以上に目立ってしまうことに起因していた。
【０１１３】
偽造防止技術において、本来出現を意図していない不明瞭な画像が可視化されることは、所望の効果以外の異なった効果が発生することであり、潜像画像の視認性や動画効果が低下するといった「所望の効果の低下」とは別の大きな問題であった。
【０１１４】
本発明の潜像印刷物（９’’）において、例えば、第一の方向から光が入射した場合、１１Ａの領域にシャープな潜像画像と優れた動画効果が生じる一方で、１１Ｂと１１Ｃの領域では、潜像画像がぼやけた画像となり、動画効果も低下する点では従来技術と同様である。
【０１１５】
ただし、本発明の潜像印刷物（９’’）においては従来技術と異なり、１１Ｂと１１Ｃの領域の領域において潜像画線群（１’’）の有無によって生じる反射光の強弱よりも、隣接する１１Ａの領域の反射光の強さや蒲鉾状画線（７’’）上に生じる光のグラデーションの反射光の強弱のほうが相対的に強いため、１１Ｂと１１Ｃに出現する潜像画像の視認性は相対的に低くなり、特に１１Ｃの領域に出現する画像は極めて認識しづらい。
【０１１６】
このことから、本発明の潜像印刷物（９’’）においては、従来の技術のように潜像画線群（１’’）全体が反射光の強弱によって浮かび上がりづらくなり、観察者に不完全な画像を視認されてしまう問題が大きく改善された。これは、本発明の従来の技術との大きな差異の一つである。
【０１１７】
また、特にそれぞれの蒲鉾状画線（７’’）及び潜像画線（３’’）には、それぞれの画線の形状が異なる、非相似形状の画線を用いることができるため、例えば第３の実施の形態で用いたような直線と曲線が無理なく混在した画線構成の蒲鉾状画線群（６’’）と潜像画線群（１’’）を用いることができる。本技術の特性上、潜像画像の立体効果を高めたい場合には垂直方向（図中Ｓ１方向：より具体的には観察者の左右の眼を結んだ方向と直交する方向）の画線方向を有する画線でそれぞれの蒲鉾状画線（７’’）及び潜像画線（３’’）を構成することが望ましく、その一方で出現する潜像画像の動きをより認識しやすくする、すなわち動画効果を高める上では、多くの画線方向を含んだ曲線でそれぞれの蒲鉾状画線（７’’）及び潜像画線（３’’）を構成することが望ましい。
【０１１８】
それぞれの蒲鉾状画線（７’’）及び潜像画線（３’’）を従来の技術のように、単なる直線や曲線のようなすべて相似な形状の画線で形成した場合には、立体効果か動画効果のいずれか一方の効果しか強調できないが、本発明のように非相似形状の画線で蒲鉾状画線（７’’）及び潜像画線（３’’）を形成した場合には、例えば、直線と曲線を連続的に変化させた第３の実施の形態で示した構造の蒲鉾状画線（７’’）及び潜像画線（３’’）を用いることによって、二つの効果を無理なく両立させることができる。
【０１１９】
具体的には、第３の実施の形態で示した構造であれば、印刷画像（１１’’）の画像下部は、Ｓ１方向に画線方向を有する直線によって形成されるため、この領域において立体感を強調でき、上部に関しては曲線で構成されるため、この領域において動画効果を強調できるため、本発明のように、それぞれの蒲鉾状画線（７’’）及び潜像画線（３’’）には、それぞれの画線の形状が異なる、非相似形状の画線を用いることではじめて、一つの印刷画像（１１’’）の中で立体効果と動画効果の二つの効果を両立させる効果を得ることができる。
【０１２０】
（第四の実施の形態）
続いて、第三の実施の形態と同様に、偽造防止用潜像画像表出構造を応用して潜像印刷物（９’’’）を形成した例であって、印刷画像（１１’’’）の中の潜像画像の位置が変化するだけでなく、潜像画像の形状自体が変化する例について説明する。
【０１２１】
図２７に、本発明の潜像印刷物（９’’’）を示し、図２７（ｂ）には潜像印刷物（９’’’）のＡ−Ａ’ラインにおける断面図を示す。潜像印刷物（９’’’）は、基材（１０’’’）上に、印刷画像（１１’’’）を備える。基材（１０’’’）は、第三の実施の形態と同様に印刷画像（１１’’’）が形成できれば、紙であってもプラスティックであっても、金属等であっても良く、材質は問わない。また、印刷画像（１１’’’）は透明であっても着色されていても良く、その色彩は問わない。
【０１２２】
図２８に印刷画像（１１’’’）の構成の概要を示す。印刷画像（１１’’’）は、蒲鉾状画線群（６’’’）と潜像画線群（１’’’）が重なって形成されて成る。印刷画像（１１’’’）の積層構造は、蒲鉾状画線群（６’’’）の上に潜像画線群（１’’’）が重なる構造を有して成る。
【０１２３】
図２９に第四の実施の形態における基画像（２’’’）を示す。本基画像（２’’’）は、１２５０の文字部（２ａ’’’）と、彩紋部（２ｂ’’’）から成る。本基画像（２’’’）の最大の特徴は、彩紋部（２ｂ’’’）の図柄にあり、印刷画像（１１’’’）のほぼ全面にまたがって一つの図柄が構成されていることが第三の実施の形態との最大の差異となっている。このように、大きな単一の図柄が印刷画像（１１’’’）の中に配されることで、第三の実施の形態とは異なる効果が発揮される。この具体的な効果については後述する。
【０１２４】
まず、蒲鉾状画線群（６’’’）について説明する。蒲鉾状画線群（６’’’）は図３０に示すように、それぞれ形状が互いに相似でない、すなわち非相似形状の複数の蒲鉾状画線（７’’’）によって構成されて成る。蒲鉾状画線群（６’’’）の中心部の蒲鉾状画線（７’’’（ａ））は、両端が尖った直線形状を有し、それ以外の蒲鉾状画線（７’’’）は楕円形状を有する。図３０に示すように、蒲鉾状画線群（６’’’）の中心から外周部へ行くに従って、蒲鉾状画線（７’’’）における楕円形状の縦横の比率が徐々に変化する構造を有する。
【０１２５】
図３１に示すのは、蒲鉾状画線群（６’’’）の一部を抜粋し、拡大して示したものである。この領域における蒲鉾状画線群（６’’’）は、ｎ個の蒲鉾状画線（７’’’（１）、７’’’（２）、７’’’（３）・・・７’’’（ｉ）・・・７’’’（ｎ−１）、７’’’（ｎ））から成る。具体的には、特定の画線幅（Ｗ２（１））の第一の蒲鉾状画線（７’’’（１））から第一の蒲鉾状画線（７’’’（１））の画線方向と直交する方向（図中Ｓ１方向）の特定のピッチＰ２（１）ずれた位置に、特定の画線幅（Ｗ２（２））の第二の蒲鉾状画線（７’’’（２））があり、第二の蒲鉾状画線（７’’’（２））から第二の蒲鉾状画線（７’’’（２））の画線方向と直交する方向（図中S1方向）の特定のピッチＰ２（２）ずれた位置に、特定の画線幅（Ｗ２（３））の第三の蒲鉾状画線（７’’’（３））があり、・・・特定の画線幅（W２（ｎ−１））を有する第ｎ−１の蒲鉾状画線（７’’’（ｎ−１））から第ｎ−１の蒲鉾状画線（７’’’（ｎ−１））の画線方向と直交する方向（図中Ｓ１方向）の特定のピッチＰ２（ｎ）ずれた位置に、特定の画線幅（Ｗ２（ｎ））の第ｎの蒲鉾状画線（７’’’（ｎ））がある。それぞれの蒲鉾状画線（７’’’）の画線幅Ｗ２（１）、Ｗ２（２）、Ｗ２（３）、・・・Ｗ２（ｎ−１）、Ｗ２（ｎ）は同じ値でも良く異なっていても良い。また、それぞれの蒲鉾状画線（７’’’）のピッチＰ２（１）、Ｐ ２（２）、Ｐ２（３）、・・・Ｐ２（ｎ−１）、Ｐ２（ｎ）は同じ値でも良く異なっていても良い。その他蒲鉾状画線（７’’’）の条件については、第三の実施の形態と同じであり、説明を省略する。
【０１２６】
続いて、潜像画線群（１’’’）について説明する。図３２に示すように、それぞれ形状が互いに相似でない、すなわち非相似形状の複数の潜像画線（３’’’）によって構成されて成る。それぞれの潜像画線（３’’’）は、対を成す蒲鉾状画線（７’’’）と同じ形状を有して成り、中心部の潜像画線（３’’’（ａ））は、両端が尖った直線形状を有し、それ以外の潜像画線（３’’’）は楕円形状を有する。図３０に示した蒲鉾状画線群（６’’’）と同様に、図３２に示す潜像画線群（１’’’）も、中心から外周部へ行くに従って、潜像画線（３’’’）における楕円形状の縦横の比率が徐々に変化する構造を有する。
【０１２７】
図３３に示すのは、潜像画線群（１’’’）の一部を抜粋し、拡大して示したものである。この領域における潜像画線群（１’’’）は、ｎ個の潜像画線（３’’’（１）、３’’’（２）、３’’’（３）・・・３’’’（ｉ）・・・３’’’（ｎ−１）、３’’’（ｎ））から成る。具体的には、特定の画線幅（Ｗ１（１））の第一の潜像画線（３’’’（１））から第一の潜像画線（３’’’（１））の画線方向と直交する方向（図中Ｓ１方向）の特定のピッチＰ１（１）ずれた位置に、特定の画線幅（Ｗ１（２））の第二の潜像画線（３’’’（２））があり、第二の潜像画線（３’’’（２））から第二の潜像画線（３’’’（２））の画線方向と直交する方向（図中Ｓ１方向）の特定のピッチＰ１（２）ずれた位置に、特定の画線幅（Ｗ１（３））の第三の潜像画線（３’’’（３））があり、・・・特定の画線幅（Ｗ１（ｎ−１））を有する第ｎ−１の潜像画線（３’’’（ｎ−１））から第ｎ−１の潜像画線（３’’’（ｎ−１））の画線方向と直交する方向（図中Ｓ１方向）の特定のピッチＰ１（ｎ）ずれた位置に、特定の画線幅（Ｗ１（ｎ））の第ｎの潜像画線（３’’’（ｎ））がある。それぞれの潜像画線（３’’’）の画線幅Ｗ１（１）、Ｗ１（２）、Ｗ１（３）、・・・Ｗ１（ｎ−１）、Ｗ１（ｎ）は同じ値でも良く異なっていても良い。また、それぞれの潜像画線（３’’’）のピッチＰ１（１）、Ｐ１（２）、Ｐ１（３）、・・・Ｐ１（ｎ−１）、Ｐ１（ｎ）は同じ値でも良く異なっていても良い。その他潜像状画線（３’’’）の条件については、第三の実施の形態と同じであり説明を省略する。
【０１２８】
基画像（２’’’）から潜像画線（３’’’）へ変換する方法は、第一の実施の形態と第二の実施の形態で説明した方法を用いた。なお、基画像（２’’’）のうち、１２５０の文字を表す数字部（２ａ’’’）は、画像を鏡像化しない第一の実施の形態で説明した方法を用い、本基画像（２’’’）のうちの彩紋部（２ｂ’’’）を表す画像は、画像を鏡像化する第二の実施の形態で説明した方法を用いた。具体的な作製方法については、第一の実施の形態と第二の実施の形態で説明した方法と同じであるため省力する。
【０１２９】
本発明の潜像印刷物（９’’’）の蒲鉾状画線群（６’’’）と潜像画線群（１’’’）の重ね合わせの位置関係について説明する。図３４は、蒲鉾状画線群（６’’’）の上に潜像画線群（１’’’）の重なり合いの位置関係が適正な状態を示す。二つの画像の位置関係は、第三の実施の形態と同様であって、図３４の断面拡大図に示すように、それぞれの蒲鉾状画線（７’’’（ｉ−１）、７’’’（ｉ）、７’’’（ｉ＋１）、７’’’（ｉ＋２））に対してそれぞれ対を成す関係にある潜像画線（３’’’（ｉ−１）、３’’’（ｉ）、３’’’（ｉ＋１）、３’’’（ｉ＋２））がそれぞれ重なり合う位置関係が、本発明における最も適正な重ね合わせの位置関係である。
【０１３０】
続いて、本発明の潜像印刷物（９’’’）の効果について説明する。図３５に、本発明の効果を示す。印刷画像（１１’’’）に強い光が入射しない拡散反射光下においては、図３５（ａ）に示すように、潜像画像である基画像（２’’’）は不可視であり、単に印刷画像（１１’’’）のみが視認できる。一方の正反射光下においては、彩紋と数字を表した基画像（２’’’）が光のコントラストによって出現する。
【０１３１】
図３５（ｂ）、（ｃ）、（ｄ）、（ｅ）に示すように、入射する光に対して潜像印刷物（９’’’）の傾きを変えて観察することによって、印刷画像（１１’’’）中の基画像（２’’’）の位置が変化し、基画像（２’’’）がそれぞれの位置の蒲鉾状画線（７’’’）と直交する方向に動いているように見える。
【０１３２】
図３５（ｂ）は、潜像印刷物（９’’’）を正反射光下でＢ辺を図面上側へ傾けた状態であり、この場合、基画像（２’’’）のうち数字（２ａ’’’）の位置は変化しない一方で、基画像（２’’’）のうち彩紋（２Ｂ’’’）の位置はＢ’辺側へと移動する。図３５（ｃ）は、潜像印刷物（９’’’）を正反射光下でＡ’辺を図面右側へ傾けた状態であり、この場合、基画像（２’’’）のうち数字（２ａ’’’）はＡ’辺側へと移動する一方で、基画像（２’’’）のうち彩紋（２ｂ’’’）の位置はＡ辺側へと移動する。図３５（ｄ）は、潜像印刷物（９’’’）を正反射光下でＢ´辺を図面下側へ傾けた状態であり、この場合、基画像（２’’’）のうち数字（２ａ’’’）の位置は変化しない一方で、基画像（２’’’）のうち彩紋（２ｂ’’’）の位置はＢ辺側へと移動する。図３５（ｅ）は、潜像印刷物（９’’’）を正反射光下でＡ辺を図面左側へ傾けた状態であり、この場合、この場合、基画像（２’’’）のうち数字（２ａ’’’）はＡ辺側へと移動する一方で、基画像（２’’’）のうち彩紋（２ｂ’’’）の位置はＡ’辺側へと移動する。
【０１３３】
以上のように、第四の実施の形態の蒲鉾状画線（７’’’）は円を含んだ構成を有するため、３６０度いかなる方向に傾けたとしても、潜像印刷物（９’’’）全体にまたがって形成された彩紋部（２ｂ’’’）はそれに対応した方向へと動く特徴を有する。また、図３５（ｃ）及び図３５（ｅ）に示すように、潜像印刷物（９’’’）を左右方向に動かした場合、数字部（２ａ’’’）と彩紋部（２ｂ’’’）の動きの方向はそれぞれ逆方向となる。なお、図３５（ａ）及び図３５（ｄ）に示すように、潜像印刷物（９’’’）を上下方向に動かした場合、数字部（２ａ’’’）の位置が変化しないのは、数字部（２ａ’’’）が印刷された蒲鉾状画線（７’’’）は上下方向（Ｂ−Ｂ’方向）に画線方向を有する画線であるため、画線方向と同一方向の上下方向へ基画像（２’’’）を動かす効果を有していないためである。
【０１３４】
更に、第四の実施の形態においては、印刷画像（１１’’’）のほぼ全面にまたがって一つの図柄が構成されている彩紋部（２ｂ’’’）に関しては、第三の実施の形態のように画像の位置が単に変化するだけでなく、画像の形状自体が変化する特徴を有する。形状の変化の傾向については、図３６（ａ）に示すとおりであり、第四の実施の形態の構成においては円周へと動く方向では拡大され、円心へと動く方向では縮小される。これは、彩紋部（２ｂ’’’）の下に存在する蒲鉾状画線（７’’’）の画線方向がそれぞれの位置において異なっているために生じる効果であって、変化する形状に関しては、蒲鉾状画線（７’’’）の画線方向を調整することで、任意に設計することができる。一方、対比として図３６（ｂ）に直線で蒲鉾状画線（７’’’）が構成された従来の技術における基画像（２’’’）の動きの方向を示すが、この場合、基画像（２’’’）は形状が変化せず、基画像（２’’’）全体がそのままの形状を保って平行移動するだけである。この基画像（２’’’）の形状が変化する効果は、従来の画線方向が一定方向に固定されている構成の技術では実現できない効果であって、本発明独自の効果の一つである。以上が第四の実施の形態の説明である。
【０１３５】
本発明の潜像印刷物（９）の構成において、蒲鉾状画線（７）及び潜像画線（３）は、動画効果の認証性を高めるために、画線方向が連続的に変化する曲線を少なくとも一部に含むことが望ましい。その場合の曲線は、画線角度にして少なくとも１０度以上変化するものが望ましく、３０度以上変化することがより望ましい。
【０１３６】
１０度未満の角度変化では、従来の直線で蒲鉾状の画線が構成された印刷物と比較して、効果の面で顕著な差異が生じないためである。動画効果を高める上で、最も効果的な蒲鉾状画線（７）及び潜像画線（３）の構成は、第四の実施の形態で示した３６０度のあらゆる画線方向を有した円を一部に有した構成である。
【０１３７】
本発明の潜像印刷物（９）における蒲鉾状画線群（６）及び潜像画線群（１）のピッチは、０．０５ｍｍ以上１．０ｍｍ以下で形成する。０．０５ｍｍ以下のピッチは、蒲鉾状画線に３μｍ以上の盛り上がりを形成する場合には、一般的な印刷で再現できる画線のピッチとしてはほぼ限界のピッチであり、印刷物品質の安定性に欠ける上に、たとえ、０．０５ｍｍ以下のピッチで画線を形成できた場合でも、ほとんどの場合、出現する潜像画像の視認性が極端に低くなるため適当ではない。また、逆に、１.０ｍｍ以上のピッチで形成した場合には、潜像画像として再現できる画像の解像度が極端に低くなってしまうため同様に適切ではない。
【０１３８】
また、潜像画線（７）を作製するにあたって、圧縮フレーム内画像（５Ｐ）における、画線方向と直交する方向の長さ（画線幅）Ｗ０／フレームの長さ（Ｌ）の比率（圧縮率）を変えることで、出現する潜像画像の動きの速さや動き幅の大きさを制御することができる。Ｗ０／Ｌの値（圧縮率）を小さく設計した場合には、出現した潜像画像は傾けた場合に早く動き、動きの幅も大きくなり、圧縮率を大きく設計した場合には、出現した潜像画像は傾けた場合に遅く動き、動きの幅も小さくなる。
【０１３９】
ただし、動きの早さや幅の大きさと、出現する潜像画像のシャープさはトレードオフの関係にあり、圧縮率を小さく設計した場合には、出現する潜像画像は基画像（８）と比較してぼやけた画像となり、逆に圧縮率を大きく設計した場合には、出現する潜像画像は基画像（８）をほぼそのまま再現したようなシャープな画像となる。
【０１４０】
また、圧縮率は、動きの早さや動きの幅の大きさや、出現する潜像画像のシャープさに関係するだけでなく、遠近感にも関係する。すなわち、圧縮率を小さく設計した場合には、出現する潜像画像の遠近感は大きくなり、圧縮率を大きく設計した場合には、出現する潜像画像の遠近感は小さくなる。
【０１４１】
以上のように、縮率を変えることで、動きの速さと動きの幅、潜像画像のシャープさ、遠近感が変化する。縮率の具体的な数値の範囲については、基画像（８）の複雑さや蒲鉾状画線（６）の幅にも左右されるが、０．０２以上０．５以下程度で形成することが望ましい。
【０１４２】
圧縮率が０．５を超えると、立体的な視覚効果や動画的な視覚効果が低くなり過ぎ、０．０２未満だと潜像画線（３）の幅内に画像を圧縮した場合に印刷再現性を超えた解像度になる場合が多いためである。いずれにしても、ユーザの求める効果に応じて適宜、適正な数値を選択する必要がある。
【０１４３】
本発明を実施するための形態において、潜像画像として文字を例にして説明したが、これに限定される必要はなく、文字の他に記号、図柄、図柄などでも形成可能である。
【０１４４】
なお、本明細書中で言う正反射とは、物質にある入射角度で光が入射した場合に、入射した光の角度と略等しい角度に強い反射光が生じる現象を指し、拡散反射とは、物質にある入射角度で光が入射した場合に、入射した光の角度と異なる角度に弱い反射光が生じる現象を指す。
【０１４５】
（潜像印刷物の作製方法及び作製用ソフトウェア）
次に、本発明の実施の形態による偽造防止用潜像画像表出構造の作製に用いられる装置について、その構成を示した図４６を用いて説明する。この作製装置は、入力部１０１、処理部１０２、記憶部１０３及び出力部１０４を備えている。入力部１０１は、本発明の実施の形態の偽造防止用潜像画像表出構造の作製に必要なデータを入力し、処理部１０２に与える。処理部１０２は、与えられたデータを記憶部１０３に格納するとともに、偽造防止用潜像画像表出構造の作製に必要な演算処理及び画像処理等を行い、得られた結果を出力部１０４に与える。出力部１０４は、処理部１０２から与えられたデータを、外部の、例えば、図示されてない印刷機等に出力する。
【０１４６】
このような作製装置を用いて本実施の形態による偽造防止用潜像画像表出構造を作製する方法について、その手順を示した図４７を用いて説明する。なお、以下説明する作製方法及びソフトウェアについては、本出願人が既に出願している特許第５２００２８４号に記載されている潜像要素群（本発明の「潜像画線群（１）」に相当）及び盛り上がりを有する要素群（本発明の「フィルタ画線群（１７）」に相当）から成る潜像印刷物を始めとする同様の構成を伴う技術にも適用できるものである。したがって、前述した本発明の潜像画線群（１）及びフィルタ画線群（１７）は曲線状に形成されているが、曲線状の画線に限定されず、特許第５２００２８４号に記載されているような直線状の画線群に対しても適用することができるものである。
【０１４７】
なお、以下の説明では、前述した本発明の偽造防止用潜像画像表出構造である曲線状の画線群について説明する。また、取り扱う全ての画像データについては、複数の画素により構成されるものとして記載するが、必ずしも画素により構成される必要は無く、画素を持たず連続直線や連続曲線等のベクトル情報で構成された画像であっても良い。
【０１４８】
さらに、以下の説明では取り扱う全ての画像データについて、画像内に二つの直行する座標軸を定めるものとし、図４９に示すように画像の左下を原点として右方向の軸をｘ軸、上方向の軸をｙ軸とそれぞれ定める。このとき、取り扱う全てのデータ画像について、各画像内の任意の位置をｘ成分及びｙ成分から成る座標を用いて表すことが可能であることから、以下の説明では取り扱う全ての画像データにおいて前記座標を統一的に用いるものとする。よって例えば、異なる画像データにおいて同一の座標を持つ位置同士を「同じ位置」と表現する。
【０１４９】
まずステップＳ１１として、フィルタ画像（６）に関する画像データを作製する。具体的には、所定の画線幅のフィルタ画線（７）を複数配列したフィルタ画線群（１７）から成るフィルタ画像（６）を画像データとして処理部１０２が作製するか、又はあらかじめ作製したフィルタ画像（６）を外部から画像データとして入力部１０１より入力し処理部１０２を介して、記憶部１０３に格納する。
【０１５０】
次に、記憶部１０３に格納されたフィルタ画像（６）に対して、処理部１０２がステップＳ２１の基画像圧縮情報生成処理を行うことにより、基画像圧縮情報（１５）を得る。基画像圧縮情報（１５）は、ステップＳ３１の基画像圧縮処理において基画像（２）を圧縮することにより潜像画線群（１）を得る際の基画像をどの方向に圧縮するか等の圧縮方向に関する情報を持つ。得られた基画像圧縮情報（１５）は記憶部１０３に格納する。
【０１５１】
ステップＳ１２として、基画像（２）を画像データとして処理部１０２が作製するか、又は外部からあらかじめ作製された画像データとして入力部１０１より入力し処理部１０２を介して、記憶部１０３に格納する。この処理は、ステップＳ３１の基画像圧縮処理よりも前に実施する。
【０１５２】
ステップＳ３１として、記憶部１０３に格納された基画像（２）及び基画像圧縮情報を用いて、処理部１０２が基画像圧縮処理を行う。基画像圧縮処理により得られた画像は潜像画線群（１）を含む画像であり、この画像を潜像画線群画像と呼ぶ。本ステップで得られた潜像画線群画像は、記憶部１０３に格納する。
【０１５３】
最後にステップＳ４１として、記憶部１０３に格納された潜像画線群画像を、処理部１０２を介して出力部１０４へ与える。
【０１５４】
ステップＳ２１の基画像圧縮情報生成処理において、フィルタ画像（６）から基画像圧縮情報（１５）を得る処理方法について、図４８を用いてさらに詳細に説明する。
【０１５５】
ステップＳ２１の基画像圧縮情報生成処理では最初に、記憶部１０３に格納されたフィルタ画線群（１７）を構成する複数のフィルタ画線（７）に対し、ステップＳ２１１の中心線抽出処理により、各フィルタ画線（７）から中心線（１４）を抽出して記憶部１０３に格納する。
【０１５６】
フィルタ画線（７）の中心線（１４）及び中心線抽出処理について説明する。ここでいう画線の中心線（１４）とは、画線に対して細線化処理を施すか、又は画線の輪郭からの距離が極大となるような位置の集合を抽出することにより、得られる線のことである。中心線（１４）を得るためのこれらの処理方法はいずれも一般的な画像処理手法であり、例えば以下の文献において、処理方法が詳細に記載されている。この処理を行うことによって、例えば図５０（ａ）で示すフィルタ画線群（１７）から、図５０（ｂ）に示す中心線（１４）を抽出することができる。
【０１５７】
田村秀行  著、コンピュータ画像処理、オーム社出版局、２００２年発行
【０１５８】
村上伸一  著、画像処理工学  第２版、東京電機大学出版局、２００４年発行
【０１５９】
以下では図５０（ｂ）に示すような、黒色の画素により構成される中心線（１４）を含む独立した画像を生成するものとして説明を行い、この画像を中心線画像と呼ぶが、中心線の形状を表す情報さえ保持できれば独立した中心線画像は必須では無い。例えばフィルタ画線群（１７）内に中心線の形状情報を記録しても良く、あるいは例えば前記の通り定められた座標における関数として中心線の形状情報を保持しても良い。
【０１６０】
次にステップＳ２１２再近傍中心線位置取得処理では、処理部１０２が自動で定めた複数の位置Ｐ１、Ｐ２、…、Ｐｎ（ｎは任意の自然数）の集合である再近傍中心位置取得位置Ｐについて、記憶部１０３に格納された中心線（１４）のうち最も近い位置を計算により求める。
【０１６１】
処理部１０２が再近傍中心位置取得位置Ｐの各位置Ｐ１、Ｐ２、…、Ｐｎを自動で定める方法は任意であるが、図５１（ａ）で示すように記憶部１０３に格納されているフィルタ画線群（１７）内の全画素の各中心位置を再近傍中心位置取得位置Ｐとすることが通常である。もしも図５１（ｂ）で示すＰ１、Ｐ２、…、Ｐｎ’（ｎ’はｎよりも小さい任意の自然数）のように間隔が広くなるような各位置の定め方をした場合は、図５１（ａ）で示すようにＰ１、Ｐ２、…、Ｐｎを定めた場合と比べて、処理部１０２による必要計算量が減少して処理速度が向上するかわりに後工程のステップＳ３１基画像圧縮処理における圧縮方向及び圧縮率の計算誤差が大きくなり、最終的に得られる潜像画線群（１）に影響を与える。
【０１６２】
また、再近傍中心位置取得位置Ｐを自動で定めるに際しては、後工程のステップＳ３１基画像圧縮処理において圧縮処理を行わないことが分かっている領域にＰ１、Ｐ２、…、Ｐｎを置かないことによって、無駄な計算を省略することが可能である。例えば後述するように、本作製方法によって生成する潜像画線群（１）における潜像画線（３）の画線形状を、フィルタ画線（７）の画線形状と一致するように定めるものとすると、フィルタ画線（７）外の位置に対して圧縮処理を行う必要が無くなるため、図５２に示すようにフィルタ画線（７）上のみにＰ１、Ｐ２、…、Ｐｎを定めても良い。
【０１６３】
Ｐ１、Ｐ２、…、Ｐｎの各位置について、中心線（１４）のうち最も近い各位置をＱ１、Ｑ２、…、Ｑｎと定義する。このようなＰ１、Ｐ２、…、Ｐｎ及びＱ１、Ｑ２、…、Ｑｎの例を図５３（ａ）に図示する。このときＱ１、Ｑ２、…、Ｑｎの位置を計算により求める方法は特に限定しないが、例えばＰ１、Ｐ２、…、Ｐｎの各位置から中心線（１４）を構成する各画素までの距離を総当たりで全て計算すれば、計算時間はかかるが確実にＱ１、Ｑ２、…、Ｑｎの位置を求めることが可能である。このような総当たりによる方法のほかにも、中心線（１４）の形状を関数として取り扱うことにより数学的にＱ１、Ｑ２、…、Ｑｎを求めても良い。
【０１６４】
Ｐ１、Ｐ２、…、Ｐｎの中の一つであるＰｉ（ｉは１以上、かつ、ｎ以下の自然数）に対して最も近くなるような中心線（１４）上の位置が複数存在する場合、例えば、図５３（ｂ）で例示するように、Ｐｉに対して最も近くなるような中心線（１４）上の位置がＱｉ’とＱｉ’’の二つ存在するような場合の処理は特に限定するものではないが、例えば、Ｑｉ’とＱｉ’’のいずれか一方をランダム又はあらかじめ定めた何らかの方法により選択してＱｉとしても良いし、又は図５３（ｂ）に示すように、ベクトルＰｉＱｉ’にベクトルＰｉＱｉ’’を加えて得られたベクトルをＰｉＱｉと定義することによりＱｉの位置を求めても良い。Ｐｉに対して最も近くなるような中心線（１４）上の位置が３点以上存在する場合も同様である。
【０１６５】
次にステップＳ２１３の基画像圧縮情報変換処理では、Ｐ１、Ｐ２、…、Ｐｎ及びＱ１、Ｑ２、…、Ｑｎから、ベクトルＰ１Ｑ１、ベクトルＰ２Ｑ２、…、ベクトルＰｎＱｎを計算した後、Ｐ１とベクトルＰ１Ｑ１、Ｐ２とベクトルＰ２Ｑ２、…、ＰｎとベクトルＰｎＱｎを関連付けて記憶部１０３に格納する。このとき、ベクトルＰ１Ｑ１、ベクトルＰ２Ｑ２、…、ベクトルＰｎＱｎの各ベクトルを基画像圧縮情報（１５）と定義する。なお、ここで言う関連付けとは、ステップＳ２１３より後のステップにおいてＰ１の位置を指定して基画像圧縮情報（１５）を参照しようとした場合に基画像圧縮情報（１５）としてベクトルＰ１Ｑ１を得ることが可能であり、Ｐ２、…、Ｐｎの各位置に対しても同様に基画像圧縮情報（１５）としてベクトルＰ２Ｑ２、…、ベクトルＰｎＱｎを得ることが可能な状態で情報を記憶部１０３に格納するという意味である。
【０１６６】
ステップＳ２１３より後のステップにおいてＰ１、Ｐ２、…、Ｐｎのいずれでもない位置を指定して基画像圧縮情報（１５）を参照した場合に、記憶部１０３に格納されたＰ１、Ｐ２、…、Ｐｎ及びベクトルＰ１Ｑ１、ベクトルＰ２Ｑ２、…、ベクトルＰｎＱｎに対して処理部１０２において補間処理を行うことによりベクトル情報を得ることが可能となるようなステップを、ステップＳ２１３以降、かつ、ステップＳ３１の基画像圧縮処理以前に設けても良い。このようにして補間処理によって得たベクトルについても、基画像圧縮情報（１５）とする。このときの補間処理としては、画像の一般的な拡大縮小処理方法をそのまま用いることが可能であり、このような処理方法として、例えば、ニアレストネイバー法、バイリニア法、バイキュービック法が一般に知られている。
【０１６７】
なお、例えばステップＳ２１２の基画像圧縮情報変換処理においてＰ１及びＱ１が確定した後であれば、ステップＳ２１３の再近傍中心線位置取得処理においてＰ１とベクトルＰ１Ｑ１を関連付けて基画像圧縮情報として記憶部１０３に格納することが可能であることから、必ずしもステップＳ２１２の完全終了後にステップＳ２１３を実施する必要は無い。
【０１６８】
ステップＳ２１の基画像圧縮情報生成処理は、以上の一連のステップＳ２１１、Ｓ２１２、Ｓ２１３によって構成されており、これらの処理を行うことにより基画像圧縮情報（１５）が得られる。
【０１６９】
このようにして得た基画像圧縮情報（１５）が、本発明における潜像画像（３）の作製において果たす役割について説明する。
【０１７０】
前述のとおりＰ１、Ｐ２、…、Ｐｎの各位置について、中心線（１４）のうち最も近い各位置をＱ１、Ｑ２、…、Ｑｎと定義していることから、初等幾何によれば、直線Ｐ１Ｑ１、直線Ｐ２Ｑ２、…、直線ＰｎＱｎは、いずれも中心線（１４）と直交することがわかる。よってフィルタ画線（７）の方向を、同フィルタ画線（７）から得られた中心線（１４）の方向と同一として定義すると、直線Ｐ１Ｑ１、直線Ｐ２Ｑ２、…、直線ＰｎＱｎは、いずれもフィルタ画線（７）に直交する。
【０１７１】
さらに本作製方法によって生成する潜像画線群（１）における潜像画線（３）の画線形状を、フィルタ画線（７）の画線形状と一致するように定めるものとすると、直線Ｐ１Ｑ１、直線Ｐ２Ｑ２、…、直線ＰｎＱｎは、いずれもフィルタ画線（７）の方向、すなわち潜像画線（３）の画線方向に対して直交する。
【０１７２】
第一の実施の形態及び第二の実施の形態で記載した通り、本発明において潜像画線（３）は、基画像（２）を部分的に取り出して潜像画像（３）の画線方向と直交する方向に沿って圧縮した構造を有することから、この画像方向と直交する圧縮は、直線Ｐ１Ｑ１、直線Ｐ２Ｑ２、…、直線ＰｎＱｎと同一方向に沿って行われることになる。
【０１７３】
記憶部１０３に格納された基画像圧縮情報（１５）の形式は、直線Ｐ１Ｑ１、直線Ｐ２Ｑ２、…、直線ＰｎＱｎと同等の情報を含んでいれば形式は問わないことから、ここでは前述の通り、Ｐ１、Ｐ２、…、Ｐｎの位置情報とベクトルＰ１Ｑ１、ベクトルＰ２Ｑ２、…、ベクトルＰｎＱｎを関連付けて基画像圧縮情報（１５）を格納するものとして説明を行っている。
【０１７４】
以上の理由により、本発明における潜像画像（３）の作製に際して、位置毎の画像圧縮方向を決める情報として基画像圧縮情報（１５）が必要となる。
【０１７５】
次に、ステップＳ３１の基画像圧縮処理において基画像圧縮情報（１５）及び基画像（２）から潜像画線群（１）を生成する方法について説明する。
【０１７６】
ここで、新たに生成した潜像画線群（１）を格納するための画像として、フィルタ画線群（１７）とｘ方向の画素数が同一、かつ、ｙ方向の画素数が同一となるような潜像画線群画像（１６）を、処理部１０２が自動で生成して記憶部１０３に格納するものとする。また、生成時の潜像画線群画像（１６）は、画線を全く含まないものとする。ここでは取り扱う全ての画像において画線の色は黒色であるものとして説明を行うため、このとき生成時の潜像画線群画像（１６）は白色の画素のみで構成される。さらに、潜像画線群画像（１６）の四隅の座標位置は、それぞれフィルタ画線群（１７）の四隅の各座標位置と同じであるものとして説明を行う。
【０１７７】
また、ステップＳ３１の基画像圧縮処理を行う際は、あらかじめ圧縮係数ｋが入力部１０１により作製装置外から入力され記憶部１０３に格納されているものとする。ただし圧縮係数ｋは正または負の数であり、０ではないものとする。より好ましくは、ｋは、−１よりも大きく、かつ、１よりも小さい、０以外の数である。
【０１７８】
ステップＳ３１の基画像圧縮処理では、潜像画線群画像（１６）を構成する任意の画素について、同画素が存在する位置を指定して基画像圧縮情報（１５）を得た後、画素が存在する位置及び基画像圧縮情報（１５）及び圧縮係数ｋを用いて後述のとおり計算を行うことによって、参照位置を得る。次に、潜像画線群画像（１６）を構成する前述の画素が有する色情報を、基画像（２）内において前述の参照位置にある画素の色情報により上書きする。ただしここで言う色情報とは、一般的なデジタル画像において画素が持つ明るさ及び／又は色彩を表す数値情報のことであり、一般には０〜２５５の数値で表わされる赤、緑、青の各成分又はシアン、マゼンタ、イエロー、ブラックの各成分によって構成される情報のことである。
【０１７９】
もしも前述の参照位置に基画像（２）の画素が存在しない場合、すなわち参照位置が基画像（２）の範囲外となるような場合の処理方法は特に限定するものではないが、この場合、参照位置の基画像（２）の色情報を非画線色である白色であるものとみなして処理を行うことが望ましい。
【０１８０】
ステップＳ３１の基画像圧縮処理における上述の処理を、潜像画線群画像（１６）を構成する画素のうち、潜像画線（３）内の位置に存在する全ての画素に対して行うことにより、潜像画線群画像（１６）の中に潜像画線群（１）が形成される。潜像画線（３）の形状は、ステップＳ１１で入力したフィルタ画線群（１７）内のフィルタ画線（７）の画線形状をそのまま潜像画線（３）の形状として用いても良いし、入力部１０１によりあらかじめ作製装置外から入力しておいても良い。
【０１８１】
潜像画線群画像（１６）を構成する任意の画素について、同画素が存在する位置をＰｉとし、位置Ｐｉを指定して得られる基画像圧縮情報（１５）をベクトルＰｉＱｉとしたときに、前述の位置Ｐｉ、ベクトルＰｉＱｉ及び圧縮係数ｋから計算により参照位置Ｐｉ’を求める方法を説明する。
【０１８２】
このとき計算により求めたい参照位置Ｐｉ’は、ベクトルＱｉＰｉ’とベクトルＱｉＰｉと圧縮係数ｋを用いて次式で表わされる。ただし、ベクトルＱｉＰｉは位置Ｑｉから位置Ｐｉに向かうベクトルのことであり、ベクトルＰｉＱｉを逆向きにしたベクトルのことであり、数学的にはベクトルＰｉＱｉに−１を乗ずることでベクトルＱｉＰｉが得られる。
【０１８３】
ｋ×（ベクトルＱｉＰｉ’）  ＝  ベクトルＱｉＰｉ  ＝  −（ベクトルＰｉＱｉ）
【０１８４】
前式左側の等号は、ベクトルＱｉＰｉは、ベクトルＱｉＰｉ’をｋ倍に圧縮又は引き延ばしたベクトルに等しいということを表している。ｋが−１よりも大きく、かつ、１よりも小さい、０以外の数である場合、ベクトルＱｉＰｉは、ベクトルＱｉＰｉ’をｋ倍に圧縮したベクトルである。図５４は、ベクトルＱｉＰｉ’とベクトルＱｉＰｉとの対応関係の例を示した図であり、同一形状の中心線（１４）及び同一位置のＰｉ及びＱｉに対して、ｋが０より大きい場合の例を図５４（ａ）に、ｋが０より小さい場合の例を図５４（ｂ）に示す。
【０１８５】
このとき前述のとおり直線ＰｉＱｉは中心線（１４）の方向に対して直交していることから、ｋが０よりも大きい場合は図５４（ｂ）に例示したように、任意の画像を、中心線（１４）を中心に、中心線（１４）と直交する方向へｋ倍に圧縮した場合、圧縮前に位置Ｐｉ’にあった画素は圧縮後には位置Ｐｉへと移動している。またｋが０よりも小さい場合は図５４（ｂ）に例示したように、任意の画像を中心線（１４）に対してミラー反転して鏡像化した後に、この鏡像化した画像を、中心線（１４）を中心に、中心線（１４）と直交する方向へ−ｋ倍に圧縮した場合、ミラー反転及び圧縮前に位置Ｐｉ’にあった画素は、ミラー反転及び圧縮後には位置Ｐｉへと移動している。
【０１８６】
よって、基画像（２）内の参照位置Ｐｉ’にある画素の色情報で、潜像画線群画像（１６）内の位置Ｐｉの画素の色情報を上書きする処理を行うことで、ｋが０より大きい場合には基画像（２）に対して前述の圧縮処理を施して潜像画線群画像（１６）内に格納したのと同等の効果が得られ、ｋが０より小さい場合には基画像（２）に対して前述のミラー反転及び圧縮処理を施して潜像画線群画像（１６）内に格納したのと同等の効果が得られる。さらに潜像画線群画像（１６）内において潜像画線（３）内の位置に存在する全ての画素について、各画素の位置を位置Ｐｉとして上記処理を実施することにより、潜像画線群画像（１６）内に潜像画線群（１）が形成される。
【０１８７】
このステップＳ３１の基画像圧縮処理において、圧縮係数ｋが０よりも大きい場合の上記の処理は、本発明の第一の実施の形態において説明した潜像画線群（１）の作製方法に相当し、圧縮係数ｋが０よりも小さい場合の上記の処理は、本発明の第二の実施の形態において説明した潜像画線群（１）の作製方法に相当する。
【０１８８】
最後にステップＳ４１の潜像画線群出力処理において、潜像画線群（１）を含んだ潜像画線群画像（１６）を出力部（１０４）へ出力する。
【０１８９】
以上のステップを実施することで、潜像画線群（１）を含んだ潜像画線群画像（１６）が得られる。
【０１９０】
以下、前述の発明を実施するための形態にしたがって、具体的に作製した潜像印刷物の実施例について詳細に説明するが、本発明は、この実施例に限定されるものではない。
【実施例１】
【０１９１】
図３７に、本発明の潜像印刷物（９−１）を示し、図３７（ｂ）には潜像印刷物（９−１）のＡ−Ａ’ラインにおける断面図を示す。潜像印刷物（９−１）は、基材（１０−１）上に、印刷画像（１１−１）を備える。基材（１０−１）は、一般的な白色コート紙（日本製紙製）を用いた。印刷画像（１１−１）は拡散反射光下では黒色に視認される色彩で構成した。
【０１９２】
図３８に印刷画像（１１−１）の構成の概要を示す。印刷画像（１１−１）は、蒲鉾状画線群（６−１）と潜像画線群（１−１）を重ねて構成した。印刷画像（１１−１）の積層構造は、蒲鉾状画線群（６−１）の上に潜像画線群（１−１）が重なる構造とした。また、図３９に基画像（２−１）を示す。本基画像（２−１）は、１２５０の文字部（２ａ−１）と、彩紋部（２ｂ−１）から構成した。
【０１９３】
まず、蒲鉾状画線群（６−１）について説明する。図４０に示すように、それぞれの形状は互いに相似でない、すなわち非相似形状の複数の蒲鉾状画線（７−１）によって構成した。この形状については、第四の実施の形態と同じであるため説明を省略する。
【０１９４】
図４１に示すのは、蒲鉾状画線群（６−１）の一部を抜粋し、拡大して示したものである。この領域における蒲鉾状画線群（６−１）は、ｎ個の蒲鉾状画線（７−１（１）、７−１（２）、７−１（３）・・・７−１（ｉ）・・・７−１（ｎ−１）、７−１（ｎ））から成る。具体的には、画線幅０．４ｍｍの第一の蒲鉾状画線（７−１（１））から第一の蒲鉾状画線（７−１（１））の画線方向と直交する方向（図中Ｓ１方向）のピッチ０．６ｍｍずれた位置に、画線幅０．４ｍｍの第二の蒲鉾状画線（７−１（２））を配し、第二の蒲鉾状画線（７−１（２））から第二の蒲鉾状画線（７−１（２））の画線方向と直交する方向（図中Ｓ１方向）のピッチ０．５９ｍｍずれた位置に、画線幅０．３９ｍｍの第三の蒲鉾状画線（７−１（３））を配し・・・、中心部に向かって画線幅とピッチはやや小さく設定し、画像中心においては、画線幅は０．３ｍｍ、ピッチは０．４５ｍｍとし、中心から再び外周へ向かって画線幅とピッチを大きく変え、最終的には画線幅０．４ｍｍの第ｎ−１の蒲鉾状画線（７−１（ｎ−１））から第ｎ−１の蒲鉾状画線（７−１（ｎ−１））の画線方向と直交する方向（図中Ｓ１方向）のピッチ０．６ｍｍずれた位置に、画線幅０．４ｍｍの第ｎの蒲鉾状画線（７−１（ｎ））がある構成で形成した。
【０１９５】
以上のような構成の蒲鉾状画線群（６−１）を、表１に示すＵＶ乾燥型のスクリーンインキを用いて、スクリーン印刷によって基材（２）に印刷した。表１に示すインキは、拡散反射光下では着色顔料の色である黒色に見えるが、正反射光下では虹彩色パール顔料の干渉色である金色に変化する、優れたカラーフリップフロップ性を備えたインキである。このインキによって形成した蒲鉾状画線（７−１）の盛り上がり高さは約１０μｍであった。
【０１９６】
【表１】
2015047772.tif 000003
【０１９７】
続いて、潜像画線群（１−１）について説明する。図４２に示すようにそれぞれの形状は互いに相似でない、すなわち非相似形状の複数の潜像画線（３’’’）によって構成した。この形状については第四の実施の形態と同じであるため説明を省略する。
【０１９８】
図４３に示すのは、潜像画線群（１−１）の一部を抜粋し、拡大して示したものである。この領域における潜像画線群（１−１）は、n個の潜像画線（３−１（１）、３−１（２）、３−１（３）・・・３−１（ｉ）・・・３−１（ｎ−１）、３−１（ｎ））から成る。具体的には、画線幅０．４ｍｍの第一の潜像画線（３−１（１））から第一の潜像画線（３−１（１））の画線方向と直交する方向（図中Ｓ１方向）のピッチ０．６ｍｍずれた位置に、画線幅０．４ｍｍの第二の潜像画線（３−１（２））を配し、第二の潜像画線（３−１（２））から第二の潜像画線（３−１（２））の画線方向と直交する方向（図中Ｓ１方向）のピッチ０．５９ｍｍずれた位置に、画線幅０．３９ｍｍの第三の潜像画線（３−１（３））を配し・・・、中心部に向かって画線幅とピッチはやや小さく設定し、画像中心においては、画線幅は０．３ｍｍ、ピッチは０．４５ｍｍとし、中心から再び外周へ向かって画線幅とピッチが大きく変え、最終的には画線幅０．４ｍｍの第ｎ−１の潜像画線（３−１（ｎ−１））から第ｎ−１の潜像画線（３−１（ｎ−１））の画線方向と直交する方向（図中Ｓ１方向）のピッチ０．６ｍｍずれた位置に、画線幅０．４ｍｍの第ｎの潜像画線（３−１（ｎ））がある構成で形成した。
【０１９９】
以上の構成の潜像画線群（１−１）を透明なマットインキ（マットメジウム  Ｔ＆Ｋ  ＴＯＫＡ製）を用いてウェットオフセット印刷方式で、図４４に示すように、それぞれ対を成す蒲鉾状画線（７−１）と潜像画線（３−１）の画線中心が完全に重なり合う関係で蒲鉾状画線群（６−３）と潜像画線群（１−３）を重ね合わせて、潜像印刷物（１−１１）を形成した。
【０２００】
以上の手順で作製した本発明の潜像印刷物（９−１）の効果について説明する。図４５に、本発明の効果を示す。印刷画像（１１−１）に強い光が入射しない拡散反射光下においては、図４５（ａ）に示すように、潜像画像である基画像（２−１）は不可視であり、単に印刷画像（１１−１）のみが視認できた。一方の正反射光下においては、印刷画像（１１−１）全体が金色の干渉色を発する中に、彩紋と数字を表した基画像（２−１）が黒色で出現した。
【０２０１】
図４５（ｂ）は、潜像印刷物（９−１）を正反射光下でＢ辺を図面上側へ傾けた状態であり、この場合、基画像（２−１）のうち数字（２ａ−１）の位置は変化しない一方で、基画像（２−１）のうち彩紋（２Ｂ−１）は形状を変化させながら、その位置はＢ’辺側へと移動した。図４５（ｃ）は、潜像印刷物（９−１）を正反射光下でＡ’辺を図面右側へ傾けた状態であり、この場合、基画像（２−１）のうち数字（２ａ−１）はＡ’辺側へと移動する一方で、基画像（２−１）のうち彩紋（２ｂ−１）は形状を変化させながら、その位置はＡ辺側へと移動した。図４５（ｄ）は、潜像印刷物（９−１）を正反射光下でＢ辺を図面下側へ傾けた状態であり、この場合、基画像（２−１）のうち数字（２ａ−１）の位置は変化しない一方で、基画像（２−１）のうち彩紋（２ｂ−１）は形状を変化させながら、その位置はＢ辺側へと移動した。図３５（ｅ）は、潜像印刷物（９−１）を正反射光下でＡ辺を図面左側へ傾けた状態であり、この場合、この場合、基画像（２−１）のうち数字（２ａ−１）はＡ辺側へと移動する一方で、基画像（２−１）のうち彩紋（２ｂ−１）は形状を変化させながら、その位置はＡ’辺側へと移動した。
【０２０２】
以上のように、作製した潜像印刷物（９−１）は、正反射光下において、印刷画像（１１−１）全体が金色の干渉色を発する中に、彩紋と数字を表した基画像（２−１）が黒色で現れ、潜像印刷物（９−１）を正反射光下で傾きを変えることで、内部の彩紋と数字の位置や形状がそれぞれ変化することが確認できた。
【符号の説明】
【０２０３】
１、１’、１’’、１’’’、１−１  潜像画線群
２、２’’’、２−１  基画像
３、３’、３’’、３’’’、３−１  潜像画線
４、４’  輪郭領域
４ｆ，４ｆ’  フレーム画像
５、５Ｒ’  フレーム内画像
５Ｐ、５Ｐ’  圧縮フレーム内画像
６、６’  フィルタ画像
６’’、６’’’、６−１  蒲鉾状画線群
７、７’  フィルタ画線
７’’、７’’’、７−１  蒲鉾状画線
８  セキュリティ印刷物
９’’、９’’’、９−１  潜像印刷物
１０’’、１０’’’、１０−１  基材
１１’’、１１’’’、１１−１  印刷画像
１２’’、１２’’’、１２−１  光源
１３’’、１３’’’、１３−１  観察者の視点
１４  中心線
１５  基画像圧縮情報
１６  潜像画線群画像
１７  フィルタ画線群
【図１】
2015047772.tif 000004
【図２】
2015047772.tif 000005
【図３】
2015047772.tif 000006
【図４】
2015047772.tif 000007
【図５】
2015047772.tif 000008
【図６】
2015047772.tif 000009
【図７】
2015047772.tif 000010
【図８】
2015047772.tif 000011
【図９】
2015047772.tif 000012
【図１０】
2015047772.tif 000013
【図１１】
2015047772.tif 000014
【図１２】
2015047772.tif 000015
【図１３】
2015047772.tif 000016
【図１４】
2015047772.tif 000017
【図１５】
2015047772.tif 000018
【図１６】
2015047772.tif 000019
【図１７】
2015047772.tif 000020
【図１８】
2015047772.tif 000021
【図１９】
2015047772.tif 000022
【図２０】
2015047772.tif 000023
【図２１】
2015047772.tif 000024
【図２２】
2015047772.tif 000025
【図２３】
2015047772.tif 000026
【図２４】
2015047772.tif 000027
【図２５】
2015047772.tif 000028
【図２６】
2015047772.tif 000029
【図２７】
2015047772.tif 000030
【図２８】
2015047772.tif 000031
【図２９】
2015047772.tif 000032
【図３０】
2015047772.tif 000033
【図３１】
2015047772.tif 000034
【図３２】
2015047772.tif 000035
【図３３】
2015047772.tif 000036
【図３４】
2015047772.tif 000037
【図３５】
2015047772.tif 000038
【図３６】
2015047772.tif 000039
【図３７】
2015047772.tif 000040
【図３８】
2015047772.tif 000041
【図３９】
2015047772.tif 000042
【図４０】
2015047772.tif 000043
【図４１】
2015047772.tif 000044
【図４２】
2015047772.tif 000045
【図４３】
2015047772.tif 000046
【図４４】
2015047772.tif 000047
【図４５】
2015047772.tif 000048
【図４６】
2015047772.tif 000049
【図４７】
2015047772.tif 000050
【図４８】
2015047772.tif 000051
【図４９】
2015047772.tif 000052
【図５０】
2015047772.tif 000053
【図５１】
2015047772.tif 000054
【図５２】
2015047772.tif 000055
【図５３】
2015047772.tif 000056
【図５４】
2015047772.tif 000057
【図５５】
2015047772.tif 000058
【図５６】
2015047772.tif 000059
【図５７】
2015047772.tif 000060
【図５８】
2015047772.tif 000061